(57)【特許請求の範囲】
【請求項１】
階段状に１段落としてなる第１−１及び第１−２の階段部が、それぞれ枠材に形成されている第１の枠体と、
階段状に１段落としてなる第２−１及び第２−２の階段部が、それぞれ枠材に形成されている第２の枠体とを備え、
該第１−１の階段部の横幅と該第２−２の階段部の横幅を合わせた長さ及び該第１−２の階段部の横幅と該第２−１の階段部の横幅を合わせた長さが、該第１−１から第２−２の階段部のそれぞれが形成されている枠材の横幅の長さと同一であり、
該第１−１から第２−２の階段部の高さが同一であって、
該第１及び第２の枠体が、全体として連結していることを特徴とする枠体の連結構造体。
【請求項２】
階段状に２段落としてなる第３−１及び第３−２の階段部が、それぞれ枠材に形成されている第３の枠体を備え、
該第１−１から第２−２の階段部のそれぞれが形成されている枠材の横幅の長さと該第３−１及び第３−２の階段部のそれぞれが形成されている枠材の横幅の長さが同一であり、
該第３−１の階段部の横幅と該第１−２及び第２−２の階段部のそれぞれの横幅を合わせた長さ並びに該第３−２の階段部の横幅と該第１−１及び第２−１の階段部のそれぞれの横幅を合わせた長さが、該第１−１から第３−２の階段部のそれぞれが形成されている枠材の横幅の長さと同一であって、
該第３−１及び第３−２の階段部の高さが、該第１から第３の枠体を上下に重ねた厚みと同一であり、
該第１から第３の枠体が、全体として連結していることを特徴とする請求項１に記載の枠体の連結構造体。
【請求項３】
該第３の枠体を複数備え、
該第１−１から第３−２の階段部の横幅の長さが、該第１−１から第３−２の階段部のそれぞれが形成されている枠材の横幅の長さの半分であり、
該第１−１、１又は複数の第３−１、１又は複数の第３−２及び該第２−１又は第２−２の階段部を組み合わせたときの全体の高さと該第１−２、１又は複数の第３−１及び１又は複数の第３−２及び該第２−１又は第２−２の階段部を組み合わせたときの全体の高さが、該第１、第２及び複数の第３の枠体を上下に重ねた厚みと同一であって、
該第１、第２及び複数の第３の枠体が、全体として連結していることを特徴とする請求項２に記載の枠体の連結構造体。
【請求項４】
階段状に１段落としてなる第４−１及び第４−２の階段部が、それぞれ枠材に形成されている第４の枠体と、
階段状に３段落としてなる第５−１及び第５−２の階段部が、それぞれ枠材に形成されている第５の枠体とを備え、
該第１−１から第５−２の階段部の横幅の長さが、該第１−１から第５−２の階段部のそれぞれが形成されている枠材の横幅の長さの半分であり、
該第１−１、該第２−２、該第３−１、該第４−１及び該第５−２の階段部を組み合わせたときの全体の高さと該第１−２、該第２−１、該第３−２、該第４−２及び該第５−１の階段部を組み合わせたときの全体の高さが、該第１から第５の枠体を上下に重ねた厚みと同一であって、
該第２、第３、第５、第１及び第４の枠体の順に連結することで、該第１から第５の枠体が、全体として連結していることを特徴とする請求項２に記載の枠体の連結構造体。
【請求項５】
階段状に１段落としてなる第６−１及び第６−２の階段部が、それぞれ枠材に形成されている第６の枠体と、
階段状に１段落としてなる第７−１及び第７−２の階段部が、それぞれ枠材に形成されている第７の枠体と、
階段状に２段落としてなる第８−１及び第８−２の階段部が、それぞれ枠材に形成されている第８の枠体とを備え、
該第１−１から第２−２及び該第６−１から第８−２の階段部の横幅の長さが、該第１−１から第２−２及び該第６−１から第８−２の階段部のそれぞれが形成されている枠材の横幅の長さの半分であり、
該第１−１から第２−２の階段部と該第６−１から第７−２の階段部と該第８−１及び第８−２の階段部の高さ比が、２：３：３であって、
該第１−１から第２−２の階段部と該第６−１から第７−２の階段部と該第８−１及び第８−２の階段部の長手方向の長さ比が、１：２：４であり、
該第１−１、該第２−１、該第６−２、該第７−２及び該第８−１の階段部を組み合わせたときの全体の高さと該第１−２、該第２−２、該第６−１、該第７−１及び該第８−２の階段部を組み合わせたときの全体の高さが、該第１及び第２並びに第６から第８の枠体を上下に重ねた厚みと同一であって、
該第１、第６、第８、第７、第２の枠体の順に連結することで、該第１及び第２並びに第６から第８の枠体が、全体として連結していることを特徴とする請求項１に記載の枠体の連結構造体。
【発明の詳細な説明】
【技術分野】
【０００１】
本発明は、枠体の連結構造体に関し、より詳しくは、枠体が連結されているパズルや鎖等の連結構造体に関する。
【背景技術】
【０００２】
従来、枠体が連結されている連結構造体として、飾り部が形成される第１のリングと、一部に折曲部が形成される第２及び第３のリングと、表面及び裏面が平坦に形成される第４及び第５のリングとを備え、第１から第５のリングが全体として連結しており、これら第１から第５のリングを組み合わせることで、一つの指輪が組み立てられるリング型のパズル（パズルの連結構造体）が知られている（非特許文献１参照）。
【０００３】
また、枠体が連結されている他の連結構造体としては、略矩形状からなる複数の枠体が全体として連結している鎖（鎖（チェーン）の連結構造体）が知られている（非特許文献２参照）。
【先行技術文献】
【非特許文献】
【０００４】
【非特許文献１】ＨＡＮＡＹＡＭＡ  キャストリング２〔平成２７年５月１５日検索〕、インターネット＜URL: http://www.hanayamatoys.co.jp/product/category/puzzle/cast/cast-ring2.html＞
【非特許文献２】鎖・チェーンの専門店  リンクチェーン  ステンレスチェーン（ＳＵＳ３０４・ＳＵＳ３１６）〔平成２７年６月１日検索〕インターネット＜URL: http://link-chain.jp/materials/stainless/sus.php＞
【発明の概要】
【発明が解決しようとする課題】
【０００５】
しかし、非特許文献１に記載されているパズルの連結構造体は、基本構造の明らかに異なる複数のリングから構成されていることから、パズルの解が容易に導き出されてしまうという問題がある。
【０００６】
すなわち、非特許文献１に記載のパズルの連結構造体における、飾り部が形成される第１のリングと、一部に折曲部が形成される第２及び第３のリングと、表面及び裏面が平坦に形成される第４及び第５のリングは、明らかに基本構造が異なるものであり、当該パズルを行う者（以下、「使用者」という。）は、これらリングの基本構造の違いに着目し（特に、飾り部が形成される第１のリングに着目し）、これを指標（ヒント）に、指輪の形状を容易に想起することができることから、簡単に、これら第１から第５のリングを組み合わせる（一つの指輪を組み立てる）ことができてしまうという問題が生じるのである（パズルの解を容易に導き出すことができてしまう）。
【０００７】
また、非特許文献１に記載のパズルの連結構造体は、上記のとおり、明らかに基本構造の異なる複数のリングから構成されていることから（３種類、５個）、連結されるリングの数を、これ以上増やすことができず、パズルの難易度を上げることができない。また、非特許文献１に記載のパズルの連結構造体では、特に、第２及び第３のリングが、特殊な形状にて形成されていることから（一部に折曲部が形成されている）、製造に手間とコストを要する（製造困難）。
【０００８】
さらに、非特許文献２に記載の鎖の連結構造体における複数の枠体は、単に、略矩形状にて形成されているのみであり、これら枠体を相互に組み合わせる（嵌め込む）ことができるような形状とはなっていないことから、非特許文献２に記載の鎖の連結構造体では、これをコンパクトに収納することができない（当該鎖を収納するときには（例えば、「鎖」の陳列時や出荷（運搬）時等）、鎖がかさばってしまうという問題がある）。
【０００９】
そこで、本発明は、上記点に鑑みてなされたものであり、基本構造が共通する複数の枠体を連結させることで、パズルの解を容易に導き出すことができないようにし、また、連結される枠体の数を、無限に増やすことができるようにすることで、パズルの難易度を上げることができ、さらには、連結される各枠体を、相互に組み合わせる（嵌め込む）ことができるような形状とすることで、鎖をコンパクトに収納することのできる枠体の連結構造体を提供することを目的とするものである。
【課題を解決するための手段】
【００１０】
請求項１の発明に係る枠体の連結構造体は、階段状に１段落としてなる第１−１及び第１−２の階段部が、それぞれ枠材に形成されている第１の枠体と、階段状に１段落としてなる第２−１及び第２−２の階段部が、それぞれ枠材に形成されている第２の枠体とを備え、該第１−１の階段部の横幅と該第２−２の階段部の横幅を合わせた長さ及び該第１−２の階段部の横幅と該第２−１の階段部の横幅を合わせた長さが、該第１−１から第２−２の階段部のそれぞれが形成されている枠材の横幅の長さと同一であり、該第１−１から第２−２の階段部の高さが同一であって、該第１及び第２の枠体が、全体として連結していることを特徴とする。
【００１１】
請求項２の発明に係る枠体の連結構造体は、請求項１に記載の発明に係る枠体の連結構造体において、階段状に２段落としてなる第３−１及び第３−２の階段部が、それぞれ枠材に形成されている第３の枠体を備え、該第１−１から第２−２の階段部のそれぞれが形成されている枠材の横幅の長さと該第３−１及び第３−２の階段部のそれぞれが形成されている枠材の横幅の長さが同一であり、該第３−１の階段部の横幅と該第１−２及び第２−２の階段部のそれぞれの横幅を合わせた長さ並びに該第３−２の階段部の横幅と該第１−１及び第２−１の階段部のそれぞれの横幅を合わせた長さが、該第１−１から第３−２の階段部のそれぞれが形成されている枠材の横幅の長さと同一であって、該第３−１及び第３−２の階段部の高さが、該第１から第３の枠体を上下に重ねた厚みと同一であり、該第１から第３の枠体が、全体として連結していることを特徴とする。
【００１２】
請求項３の発明に係る枠体の連結構造体は、請求項２に記載の発明に係る枠体の連結構造体において、該第３の枠体を複数備え、該第１−１から第３−２の階段部の横幅の長さが、該第１−１から第３−２の階段部のそれぞれが形成されている枠材の横幅の長さの半分であり、該第１−１、１又は複数の第３−１、１又は複数の第３−２及び該第２−１又は第２−２の階段部を組み合わせたときの全体の高さと該第１−２、１又は複数の第３−１及び１又は複数の第３−２及び該第２−１又は第２−２の階段部を組み合わせたときの全体の高さが、該第１、第２及び複数の第３の枠体を上下に重ねた厚みと同一であって、該第１、第２及び複数の第３の枠体が、全体として連結していることを特徴とする。
【００１３】
請求項４の発明に係る枠体の連結構造体は、請求項２に記載の発明に係る枠体の連結構造体において、階段状に１段落としてなる第４−１及び第４−２の階段部が、それぞれ枠材に形成されている第４の枠体と、階段状に３段落としてなる第５−１及び第５−２の階段部が、それぞれ枠材に形成されている第５の枠体とを備え、該第１−１から第５−２の階段部の横幅の長さが、該第１−１から第５−２の階段部のそれぞれが形成されている枠材の横幅の長さの半分であり、該第１−１、該第２−２、該第３−１、該第４−１及び該第５−２の階段部を組み合わせたときの全体の高さと該第１−２、該第２−１、該第３−２、該第４−２及び該第５−１の階段部を組み合わせたときの全体の高さが、該第１から第５の枠体を上下に重ねた厚みと同一であって、該第２、第３、第５、第１及び第４の枠体の順に連結することで、該第１から第５の枠体が、全体として連結していることを特徴とする。
【００１４】
請求項５の発明に係る枠体の連結構造体は、請求項１に記載の発明に係る枠体の連結構造体において、階段状に１段落としてなる第６−１及び第６−２の階段部が、それぞれ枠材に形成されている第６の枠体と、階段状に１段落としてなる第７−１及び第７−２の階段部が、それぞれ枠材に形成されている第７の枠体と、階段状に２段落としてなる第８−１及び第８−２の階段部が、それぞれ枠材に形成されている第８の枠体とを備え、該第１−１から第２−２及び該第６−１から第８−２の階段部の横幅の長さが、該第１−１から第２−２及び該第６−１から第８−２の階段部のそれぞれが形成されている枠材の横幅の長さの半分であり、該第１−１から第２−２の階段部と該第６−１から第７−２の階段部と該第８−１及び第８−２の階段部の高さ比が、２：３：３であって、該第１−１から第２−２の階段部と該第６−１から第７−２の階段部と該第８−１及び第８−２の階段部の長手方向の長さ比が、１：２：４であり、該第１−１、該第２−１、該第６−２、該第７−２及び該第８−１の階段部を組み合わせたときの全体の高さと該第１−２、該第２−２、該第６−１、該第７−１及び該第８−２の階段部を組み合わせたときの全体の高さが、該第１及び第２並びに第６から第８の枠体を上下に重ねた厚みと同一であって、該第１、第６、第８、第７、第２の枠体の順に連結することで、該第１及び第２並びに第６から第８の枠体が、全体として連結していることを特徴とする。
【発明の効果】
【００１５】
請求項１に記載の発明は、階段状に１段落としてなる第１−１及び第１−２の階段部が、それぞれ枠材に形成されている第１の枠体と、階段状に１段落としてなる第２−１及び第２−２の階段部が、それぞれ枠材に形成されている第２の枠体とを備えるものであり、これら第１−１から第２−２の階段部の基本構造並びに第１及び第２の枠体の基本構造は、それぞれ、共通するものであることから、使用者は、パズルを解くためのヒントを得ることが難しく、容易に、パズル（請求項１に記載の枠体の連結構造体）の解を導き出すことができない。
【００１６】
すなわち、使用者は、非特許文献１に記載のパズルの連結構造体のように、各枠体等の基本構造の違いに着目し、これをヒントに、本発明の第１及び第２の枠体を組み合わせた形状を容易に想起することができないことから、本発明では、難易度の高いパズルを提供することができる。
【００１７】
請求項２に記載の発明は、階段状に２段落としてなる第３−１及び第３−２の階段部が、それぞれ枠材に形成されている第３の枠体を、さらに備え（枠体が１つ増える）、これら第３−１及び第３−２の階段部の基本構造並びに第３の枠体の基本構造は、それぞれ、第１−１から第２−２の階段部の基本構造並びに第１及び第２の枠体の基本構造と共通するものであることから、本発明では、より難易度の高いパズルを提供することができる。
【００１８】
請求項３に記載の発明は、第１−１から第３−２の階段部の横幅の長さが、第１−１から第３−２の階段部のそれぞれが形成されている枠材の横幅の長さの半分に形成されていることから、本発明では、複数の第３の枠体を、使用者が望む数に応じて、第１及び第２の枠体と組み合わせることができる（すなわち、無限の数の第３の枠体を、第１及び第２の枠体と組み合わせることができる）。したがって、本発明を用いれば、無限の数の第３の枠体を用いる（第１及び第２の枠体と組み合わせる）ことが可能であることから、使用者が望む数の第３の枠体を用いることで、パズルの難易度を柔軟に設定することができる（例えば、第３の枠体の数を増やすことで、パズルの難易度を上げる等）。また、無限の数の第３の枠体を用いることが可能な本発明を用いれば、収納時にコンパクトに収納することのできる鎖の連結構造体をも提供することができる（例えば、「鎖」の陳列時や出荷（運搬）時等に、各枠体を組み合わせておけば（鎖をコンパクトに収納すれば）、陳列スペースの有効活用や鎖の大量運搬が可能となる）。
【００１９】
請求項４に記載の発明は、階段状に１段落としてなる第４−１及び第４−２の階段部が、それぞれ枠材に形成されている第４の枠体と、階段状に３段落としてなる第５−１及び第５−２の階段部が、それぞれ枠材に形成されている第５の枠体とを、さらに備え、これら第４−１から第５−２の階段部の基本構造並びに第４及び第５の枠体の基本構造は、それぞれ、第１−１から第３−２の階段部の基本構造並びに第１から第３の枠体の基本構造と共通するものであることから、本発明では、難易度の高いパズルを提供することができる。
【００２０】
請求項５に記載の発明は、階段状に１段落としてなる第６−１及び第６−２の階段部が、それぞれ枠材に形成されている第６の枠体と、階段状に１段落としてなる第７−１及び第７−２の階段部が、それぞれ枠材に形成されている第７の枠体と、階段状に２段落としてなる第８−１及び第８−２の階段部が、それぞれ枠材に形成されている第８の枠体とを、さらに備え、これら第６−１から第８−２の階段部の基本構造及び第６から第８の枠体の基本構造は、それぞれ、第１−１から第２−２の階段部の基本構造及び第１及び第２の枠体の基本構造と共通するものであることから、本発明では、難易度の高いパズルを提供することができる。
【００２１】
さらに、請求項１から５に記載の発明は、各階段部の基本構造及び各枠体の基本構造が、それぞれ、共通するものであることから、製造に手間とコストを要することなく、これを製造することができる。したがって、本発明では、製造容易な枠体の連結構造体を提供することができる。
【図面の簡単な説明】
【００２２】
【図１】本発明の実施例１に係る枠体の連結構造体の第１及び第２の枠体の斜視図である。
【図２】本発明の実施例１に係る枠体の連結構造体の第１及び第２の枠体の右側面図である。
【図３】本発明の実施例１に係る枠体の連結構造体の第１及び第２の枠体の平面図である。
【図４】本発明の実施例１に係る枠体の連結構造体の第３の枠体の斜視図である。
【図５】本発明の実施例１に係る枠体の連結構造体の第３の枠体の右側面図である。
【図６】本発明の実施例１に係る枠体の連結構造体の第３の枠体の平面図である。
【図７】本発明の実施例１に係る枠体の連結構造体の第１から第３の枠体を連結した状態を表す平面図である（各枠体及び各階段部を簡略化して（線図で）表している）。
【図８】本発明の実施例１に係る枠体の連結構造体の第１から第３の枠体を組み合わせた状態を表す右側面図である（各枠体及び各階段部を簡略化して（線図で）表している）。
【図９】本発明の実施例１に係る枠体の連結構造体の第１から第３の枠体を組み合わせた状態を表す右側面図である。
【図１０】本発明の実施例１に係る枠体の連結構造体の第１から第３の枠体を組み合わせた状態を表す図１１Ａ−Ａ線断面図である。
【図１１】本発明の実施例１に係る枠体の連結構造体の第１から第３の枠体を組み合わせた状態を表す平面図である。
【図１２】本発明の実施例１に係る枠体の連結構造体の変形例を表す右側面図である（各枠体及び各階段部を簡略化して（線図で）表している）。
【図１３】本発明の実施例１に係る枠体の連結構造体の変形例を表す右側面図である（各枠体及び各階段部を簡略化して（線図で）表している）。
【図１４】本発明の実施例１に係る枠体の連結構造体の変形例を表す右側面図である（各枠体及び各階段部を簡略化して（線図で）表している）。
【図１５】本発明の実施例１に係る枠体の連結構造体の変形例を表す右側面図である（各枠体及び各階段部を簡略化して（線図で）表している）。
【図１６】本発明の実施例２に係る枠体の連結構造体の第５の枠体の斜視図である。
【図１７】本発明の実施例２に係る枠体の連結構造体の第５の枠体の右側面図である。
【図１８】本発明の実施例２に係る枠体の連結構造体の第５の枠体の平面図である。
【図１９】本発明の実施例２に係る枠体の連結構造体の第１から第５の枠体を連結した状態を表す平面図である（各枠体及び各階段部を簡略化して（線図で）表している）。
【図２０】本発明の実施例２に係る枠体の連結構造体の第１から第５の枠体を組み合わせた状態を表す右側面図である（各枠体及び各階段部を簡略化して（線図で）表している）。
【図２１】本発明の実施例３に係る枠体の連結構造体の第６及び第７の枠体の斜視図である。
【図２２】本発明の実施例３に係る枠体の連結構造体の第６及び第７の枠体の右側面図である。
【図２３】本発明の実施例３に係る枠体の連結構造体の第６及び第７の枠体の平面図である。
【図２４】本発明の実施例３に係る枠体の連結構造体の第８の枠体の斜視図である。
【図２５】本発明の実施例３に係る枠体の連結構造体の第８の枠体の右側面図である。
【図２６】本発明の実施例３に係る枠体の連結構造体の第８の枠体の平面図である。
【図２７】本発明の実施例３に係る枠体の連結構造体の第１及び第２の枠体の斜視図である。
【図２８】本発明の実施例３に係る枠体の連結構造体の第１及び第２の枠体の右側面図である。
【図２９】本発明の実施例３に係る枠体の連結構造体の第１及び第２並びに第６から第８の枠体を連結した状態を表す平面図である（各枠体及び各階段部を簡略化して（線図で）表している）。
【図３０】本発明の実施例３に係る枠体の連結構造体の第１及び第２並びに第６から第８の枠体を組み合わせた状態を表す右側面図である（各枠体及び各階段部を簡略化して（線図で）表している）。
【図３１】本発明の実施例１に係る枠体の連結構造体の変形例を表す斜視図である。
【図３２】本発明の実施例３に係る枠体の連結構造体の変形例を表す写真である。
【図３３】本発明の実施例３に係る枠体の連結構造体の変形例を表す写真である。
【図３４】本発明の実施例３に係る枠体の連結構造体の変形例を表す写真である。
【発明を実施するための形態】
【００２３】
以下、図面を用いて本発明の詳細を説明する。
【実施例１】
【００２４】
まず、図１乃至図７を用いて、本発明の実施例１に係る枠体の連結構造体１００の形態について説明する。
【００２５】
図１は本発明の実施例１に係る枠体の連結構造体の第１及び第２の枠体の斜視図であり、図２は本発明の実施例１に係る枠体の連結構造体の第１及び第２の枠体の右側面図である。図３は本発明の実施例１に係る枠体の連結構造体の第１及び第２の枠体の平面図であり、図４は本発明の実施例１に係る枠体の連結構造体の第３の枠体の斜視図を表す。図５は本発明の実施例１に係る枠体の連結構造体の第３の枠体の右側面図、図６は本発明の実施例１に係る枠体の連結構造体の第３の枠体の平面図、図７は本発明の実施例１に係る枠体の連結構造体の第１から第３の枠体を連結した状態を表す平面図である（各枠体及び各階段部を簡略化して（線図で）表している）。
【００２６】
図１乃至図７に示すように、枠体の連結構造体１００は、第１の枠体１０、第２の枠体２０及び第３の枠体３０を備える。以下、これらの構成について順に説明する。
【００２７】
［第１の枠体１０］
図１乃至図３に示すように、第１の枠体１０は、全体が平面視において、矩形状にて形成されており、第１の枠体１０を構成する枠材１１及び枠材１２には、それぞれ、階段状に１段落としてなる階段部が形成されている（枠材１１には第１−１の階段部ａが、枠材１２には第１−２の階段部ｂが形成されている）。第１−１の階段部ａは、枠材１１の長手方向中央付近に形成されており、第１−２の階段部ｂは、第１−１の階段部ａと対向する位置に形成される（すなわち、第１−２の階段部ｂは、枠材１２の長手方向中央付近に形成される）。なお、枠材１１及び枠材１２の横幅の長さは同一の長さで形成されるとともに、第１−１の階段部ａと第１−２の階段部ｂの高さは同一の高さで形成される。
【００２８】
図２に示すように、第１−１の階段部ａの高さ方向上側半分の位置からは、枠材１１が右方向（第１の枠体１０を右側面から見た場合における右方向のこと。以下同じ。）に延設されるとともに、第１−１の階段部ａの高さ方向下側半分の位置からは、枠材１１が左方向（第１の枠体１０を右側面から見た場合における左方向のこと。以下同じ。）に延設されている。また、第１−２の階段部ｂの高さ方向上側半分の位置からは、枠材１２が左方向（第１の枠体１０を左側面から見た場合における左方向のこと。以下同じ。）に延設されるとともに、第１−２の階段部ｂの高さ方向下側半分の位置からは、枠材１２が右方向（第１の枠体１０を左側面から見た場合における右方向のこと。以下同じ。）に延設されている（図示略）。
【００２９】
すなわち、枠材１１は、側面視において、第１−１の階段部ａを境に、上段に位置するもの（枠材）と下段に位置するもの（枠材）とに分かれており、全体が階段状に１段落としてなる格好となっている。また、枠材１２も、枠材１１と同様に、側面視において、第１−２の階段部ｂを境にして、上段に位置するもの（枠材）と下段に位置するもの（枠材）とに分かれており、全体が階段状に１段落としてなる格好となっている。
【００３０】
図３に示すように、第１−１の階段部ａは、横幅が枠材１１の横幅の長さの半分に形成されており、枠材１１の外側に形成される。なお、第１−１の階段部ａが形成されている箇所の枠材１１の内側には、第１−１の階段部ａと同形状からなる切り欠き部１３が形成されている。また、第１−２の階段部ｂも、第１−１の階段部ａと同様に、横幅が枠材１２の横幅の長さの半分に形成されており、枠材１２の内側に形成される。なお、第１−２の階段部ｂが形成されている箇所の枠材１２の外側には、第１−２の階段部ｂと同形状からなる切り欠き部１４が形成されている。
【００３１】
第１の枠体１０の全体の長手方向の長さは概ね７ｃｍに形成され、枠材１１、枠材１２及び他の枠材の横幅の長さは概ね１ｃｍ、厚みは概ね０．５ｃｍに形成される。また、第１−１の階段部ａ及び第１−２の階段部ｂの高さは概ね１ｃｍ、横幅は概ね０．５ｃｍに形成され、枠材１１及び枠材１２の上段に位置するもの（枠材）の長手方向の長さは概ね３．５ｃｍに、下段に位置するもの（枠材）の長手方向の長さは概ね３ｃｍに形成される。なお、第１の枠体１０（枠材１１、枠材１２及び他の枠材並びに第１−１の階段部ａ及び第１−２の階段部ｂ）は、例えば、木材、プラスチック等にて形成することができる。
【００３２】
［第２の枠体２０］
図１乃至図３に示すとおり、第２の枠体２０は、第１の枠体１０と同様の構成からなるものであり（枠材２１は枠材１１に、枠材２２は枠材１２に、第２−１の階段部ｃは第１−１の階段部ａに、第２−２の階段部ｄは第１−２の階段部ｂに、切り欠き部２３は切り欠き部１３に、切り欠き部２４は切り欠き部１４に相当する）、これらは、同一の形状にて形成されていることから、ここでは、第２の枠体２０の具体的な形態に関する説明について省略する。
【００３３】
［第３の枠体３０］
図４乃至図６に示すように、第３の枠体３０は、全体が平面視において、矩形状にて形成されており、第３の枠体３０を構成する枠材３１及び枠材３２には、それぞれ、階段状に２段落としてなる階段部が形成されている（枠材３１には第３−１の階段部ｅが、枠材３２には第３−２の階段部ｆが形成されている）。第３−１の階段部ｅは、枠材３１の長手方向中央付近に形成されており、第３−２の階段部ｆは、第３−１の階段部ｅと対向する位置に形成される（すなわち、第３−２の階段部ｆは、枠材３２の長手方向中央付近に形成される）。なお、枠材３１及び枠材３２の横幅の長さは、枠材１１、枠材１２、枠材２１及び枠材２２の横幅の長さと同一の長さで形成されるとともに、第３−１の階段部ｅと第３−２の階段部ｆの高さは同一の高さで形成される。
【００３４】
図４及び図５に示すように、第３−１の階段部ｅ及び第３−２の階段部ｆは、階段状に２段落としてなるように形成されているところ、第３−１の階段部ｅは、第１段目の階段ｅ１及び第２段目の階段ｅ２より構成されており、第３−２の階段部ｆは、第１段目の階段ｆ１及び第２段目の階段ｆ２より構成されている。なお、第１段目の階段ｅ１の高さ方向下側半分は第２段目の階段ｅ２の高さ方向上側半分と、第１段目の階段ｆ１の高さ方向下側半分は第２段目の階段ｆ２の高さ方向上側半分と左右に並ぶ格好となっている。
【００３５】
図５に示すように、第３−１の階段部ｅの第１段目の階段ｅ１の高さ方向上側半分の位置からは、枠材３１が右方向（第３の枠体３０を右側面から見た場合における右方向のこと。以下同じ。）に延設されるとともに、第３−１の階段部ｅの第２段目の階段ｅ２の高さ方向下側半分の位置からは、枠材３１が左方向（第３の枠体３０を右側面から見た場合における左方向のこと。以下同じ。）に延設されている。また、第３−２の階段部ｆの第１段目の階段ｆ１の高さ方向上側半分の位置からは、枠材３２が左方向（第３の枠体３０を左側面から見た場合における左方向のこと。以下同じ。）に延設されるとともに、第３−２の階段部ｆの第２段目の階段ｆ２の高さ方向下側半分の位置からは、枠材３２が右方向（第３の枠体３０を左側面から見た場合における右方向のこと。以下同じ。）に延設されている（図示略）。
【００３６】
すなわち、枠材３１は、側面視において、第３−１の階段部ｅを境に、上段に位置するもの（枠材）と下段に位置するもの（枠材）とに分かれており、全体が階段状に２段落としてなる格好となっている。また、枠材３２も、枠材３１と同様に、側面視において、第３−２の階段部ｆを境にして、上段に位置するもの（枠材）と下段に位置するもの（枠材）とに分かれており、全体が階段状に２段落としてなる格好となっている。
【００３７】
図６に示すように、第３−１の階段部ｅ（第１段目の階段ｅ１及び第２段目の階段ｅ２）は、横幅が枠材３１の横幅の長さの半分に形成されており、枠材３１の外側に形成される。なお、第３−１の階段部ｅ（第１段目の階段ｅ１及び第２段目の階段ｅ２）が形成されている箇所の枠材３１の内側半分には、第３−１の階段部ｅ（第１段目の階段ｅ１及び第２段目の階段ｅ２）と同形状からなる切り欠き部３３が形成されている。また、第３−２の階段部ｆ（第１段目の階段ｆ１及び第２段目の階段ｆ２）も、第３−１の階段部ｅと同様に、横幅が枠材３２の横幅の長さの半分に形成されており、枠材３２の内側に形成される。なお、第３−２の階段部ｆ（第１段目の階段ｆ１及び第２段目の階段ｆ２）が形成されている箇所の枠材３２の外側半分には、第３−２の階段部ｆ（第１段目の階段ｆ１及び第２段目の階段ｆ２）と同形状からなる切り欠き部３４が形成されている。
【００３８】
第３の枠体３０の全体の長手方向の長さは概ね７ｃｍに形成され、枠材３１、枠材３２及び他の枠材の横幅の長さは概ね１ｃｍ、厚みは概ね０．５ｃｍに形成される。また、第３−１の階段部ｅ及び第３−２の階段部ｆの高さ（第１段目の階段ｅ１の高さ方向下側半分と第２段目の階段ｅ２の高さ方向上側半分とが左右に並んだ状態での高さ及び第１段目の階段ｆ１の高さ方向下側半分と第２段目の階段ｆ２の高さ方向上側半分とが左右に並んだ状態での高さ）は概ね１．５ｃｍ（第１段目の階段ｅ１、第２段目の階段ｅ２、第１段目の階段ｆ１及び第２段目の階段ｆ２の高さは概ね１ｃｍとなる）、横幅は概ね０．５ｃｍに形成され、枠材３１及び枠材３２の上段及び下段に位置するもの（枠材）の長手方向の長さは概ね３ｃｍに形成される。なお、第３の枠体３０（枠材３１、枠材３２及び他の枠材並びに第３−１の階段部ｅ及び第３−２の階段部ｆ）は、例えば、木材、プラスチック等にて形成することができる。
【００３９】
［第１の枠体１０と第２の枠体２０の関係性］
上記のとおり、第２の枠体２０は、第１の枠体１０と同様の構成からなり、これらの各構成は、同一の形状にて形成されていることから、第１−１の階段部ａの横幅と第２−２の階段部ｄの横幅を合わせた長さ及び第１−２の階段部ｂの横幅と第２−１の階段部ｃの横幅を合わせた長さは、枠材１１、枠材１２、枠材２１及び枠材２２の横幅の長さと同一となる（枠材１１及び枠材１２の横幅の長さは同一の長さで形成されており、第１−１の階段部ａの横幅は枠材１１の横幅の長さの半分に、第１−２の階段部ｂの横幅は枠材１２の横幅の長さの半分に形成されているため）。また、第１−１の階段部ａと第１−２の階段部ｂの高さは同一の高さで形成されていることから、第２−１の階段部ｃ及び第２−２の階段部ｄの高さは、第１−１の階段部ａと第１−２の階段部ｂの高さと同一となる（第１−１の階段部ａから第２−２の階段部ｄの高さは同一となる）。
【００４０】
［第３の枠体３０と第１の枠体１０及び第２の枠体２０の関係性］
枠材３１及び枠材３２の横幅の長さは、枠材１１、枠材１２、枠材２１及び枠材２２の横幅の長さと同一の長さで形成されるとともに、第３−１の階段部ｅ（第１段目の階段ｅ１及び第２段目の階段ｅ２）の横幅は枠材３１の横幅の長さの半分に、第３−２の階段部ｆ（第１段目の階段ｆ１及び第２段目の階段ｆ２）の横幅は枠材３２の横幅の長さの半分に形成されていることから、第３−１の階段部ｅの横幅と第１−２の階段部ｂ及び第２−２の階段部ｄのそれぞれの横幅を合わせた長さ並びに第３−２の階段部ｆの横幅と第１−１の階段部ａ及び第２−１の階段部ｃのそれぞれの横幅を合わせた長さは、枠材１１、枠材１２、枠材２１、枠材２２、枠材３１及び枠材３２の横幅の長さと同一となる。
【００４１】
図７に示すように、第１の枠体１０、第２の枠体２０及び第３の枠体３０は、第１の枠体１０、第３の枠体３０、第２の枠体２０の順に鎖状に連結することで、全体として連結する格好となっている。
【００４２】
次に、図８乃至図１１を用いて、本発明の実施例１に係る枠体の連結構造体１００の使用方法（組み合わせ方法）について説明する。
【００４３】
図８は本発明の実施例１に係る枠体の連結構造体の第１から第３の枠体を組み合わせた状態を表す右側面図であり（各枠体及び各階段部を簡略化して（線図で）表している）、図９は本発明の実施例１に係る枠体の連結構造体の第１から第３の枠体を組み合わせた状態を表す右側面図である。図１０は本発明の実施例１に係る枠体の連結構造体の第１から第３の枠体を組み合わせた状態を表す図１１Ａ−Ａ線断面図であり、図１１は本発明の実施例１に係る枠体の連結構造体の第１から第３の枠体を組み合わせた状態を表す平面図である。
【００４４】
図８乃至図１０に示すように、第１の枠体１０、第２の枠体２０及び第３の枠体３０は、第３−１の階段部ｅを第１−２の階段部ｂ及び第２−２の階段部ｄと、第３−２の階段部ｆを第１−１の階段部ａ及び第２−１の階段部ｃと組み合わせることで、上下に重ねるように組み合わせることができる。
【００４５】
具体的には、
第３−１の階段部ｅの第１段目の階段ｅ１を第１−２の階段部ｂと、
第３−１の階段部ｅの第２段目の階段ｅ２を第２−２の階段部ｄと
組み合わせるとともに（すなわち、切り欠き部３３に第１−２の階段部ｂ及び第２−２の階段部ｄを嵌め込むようにする）、
第３−２の階段部ｆの第１段目の階段ｆ１を第１−１の階段部ａと、
第３−２の階段部ｆの第２段目の階段ｆ２を第２−１の階段部ｃと
組み合わせるようにする（すなわち、切り欠き部３４に第１−１の階段部ａ及び第２−１の階段部ｃを嵌め込むようにする）、
ことで第１の枠体１０、第２の枠体２０及び第３の枠体３０を上下に重ねるように組み合わせることができる。
【００４６】
このとき、第３−１の階段部ｅの横幅と第１−２の階段部ｂ及び第２−２の階段部ｄのそれぞれの横幅を合わせた長さは、枠材１２、枠材２２及び枠材３１の横幅の長さと同一であり、また、第３−２の階段部ｆの横幅と第１−１の階段部ａ及び第２−１の階段部ｃのそれぞれの横幅を合わせた長さは、枠材１１、枠材２１及び枠材３２の横幅の長さと同一であることから、枠材１２、枠材２２及び枠材３１並びに枠材１１、枠材２１及び枠材３２は、綺麗に重なる格好となる（図１１参照）。
【００４７】
また、第１段目の階段ｅ１、第２段目の階段ｅ２、第１段目の階段ｆ１、第２段目の階段ｆ２、第１−１の階段部ａ、第１−２の階段部ｂ、第２−１の階段部ｃ及び第２−２の階段部ｄの高さは同一であり（いずれも高さは概ね１ｃｍに形成される）、第１段目の階段ｅ１の高さ方向下側半分は第２段目の階段ｅ２の高さ方向上側半分と、第１段目の階段ｆ１の高さ方向下側半分は第２段目の階段ｆ２の高さ方向上側半分と左右に並ぶ格好となっていることから、第１の枠体１０、第２の枠体２０及び第３の枠体３０を上下に重ねた厚みは、第３−１の階段部ｅ及び第３−２の階段部ｆの高さと同一となる。
【００４８】
すなわち、
枠材１１の上段に位置するもの（枠材）と枠材３２の上段に位置するもの（枠材）が、
枠材１１の下段に位置するもの（枠材）と枠材２１の上段に位置するもの（枠材）が、
枠材３２の下段に位置するもの（枠材）と枠材２１の下段に位置するもの（枠材）が、
それぞれ同一平面上に揃う格好になるとともに、
枠材１２の上段に位置するもの（枠材）と枠材３１の上段に位置するもの（枠材）が、
枠材１２の下段に位置するもの（枠材）と枠材２２の上段に位置するもの（枠材）が、
枠材３１の下段に位置するもの（枠材）と枠材２２の下段に位置するもの（枠材）が、
それぞれ同一平面上に揃う格好になるのである（図８乃至図１０参照）。
【００４９】
このように、本発明では、第１の枠体１０、第２の枠体２０及び第３の枠体３０が鎖状に連結された状態から、これらを上下に重ねるように組み合わせることができるところ、これらを正しく組み合わせるためには、各枠体（１０、２０及び３０）を、回転又は反転させながら、正しい組み合わせの階段部同士（「第３−１の階段部ｅ、第１−２の階段部ｂ及び第２−２の階段部ｄ」と「第３−２の階段部ｆ、第１−１の階段部ａ及び第２−１の階段部ｃ」の組み合わせ）を同一列に揃えつつ、これら相互に組み合わせる必要がある。
【００５０】
しかし、本発明における第１の枠体１０、第２の枠体２０及び第３の枠体３０（各階段部ａからｆを含む）は、その基本構造が共通するものであり（全ての枠体は、全体が平面視において、矩形状にて形成されており、各枠材には、階段状からなる階段部が形成されているため）、使用者は、これらの枠体１０、２０、３０を組み合わせる際に（パズルとしての本発明を解く際）、これらの基本構造の違いに着目することが難しいことから、パズルを解くためのヒントを容易に得ることができない（すなわち、第１の枠体１０及び第２の枠体２０と第３の枠体３０は、階段部の段数に違いがあるものの（１段と２段で異なる）、それ以外の構造は全て共通するものであることから、第１の枠体１０、第２の枠体２０及び第３の枠体３０が鎖状に連結された状態では、使用者は、これらの基本構造の違いに着目することが困難なのである）。
【００５１】
よって、本発明を用いれば、使用者は、容易にパズル（パズルとしての枠体の連結構造体１００）の解を導き出すことができないことから、本発明では、より、難易度の高いパズルを提供することができる。また、パズルの完成形はシンプルな形なので、パズルを完成した者は、高い達成感及び爽快感を得ることができる。さらに、本発明は、各階段部（ａからｆ）の基本構造及び各枠体（１０、２０、３０）の基本構造が、それぞれ、共通するものであることから、製造に手間とコストを要することなく、これを製造することができる。したがって、本発明では、製造容易な枠体の連結構造体を提供することができる。
【００５２】
なお、本実施例では、枠体の連結構造体１００（第１の枠体１０、第２の枠体２０及び第３の枠体３０（各階段部ａからｆを含む））を上記寸法にて形成するものとしているが、第１の枠体１０、第２の枠体２０及び第３の枠体３０が鎖状に連結された状態から、これらを上下に重ねるように組み合わせることができるのであれば、これを他の寸法（大きめ又は小さめ）にて形成することもできる。
【００５３】
また、本実施例では、第１の枠体１０、第２の枠体２０及び第３の枠体３０を、平面視において、全体が矩形状となるように形成するものとしているが、各枠体（１０、２０及び３０）を、回転又は反転させながら、正しい組み合わせの階段部同士を同一列に揃えつつ、これら相互に組み合わせることができるのであれば、これらの枠体（１０、２０及び３０）を他の形状にて形成することもできる。例えば、第１の枠体１０、第２の枠体２０及び第３の枠体３０を、平面視において、円形状、三角形状又は六角形状等にて形成することができる。
【００５４】
さらに、本実施例では、第１−１の階段部ａから第３−２の階段部ｆを、それぞれが形成されている枠材（枠材１１から枠材３２）の長手方向中央付近に形成するものとしているが、各枠体（１０、２０及び３０）を、回転又は反転させながら、正しい組み合わせの階段部同士を同一列に揃えつつ、これら相互に組み合わせることができるのであれば、これらの階段部（ａからｆ）を異なる位置に形成することもできる。例えば、これら階段部（ａからｆ）を、各枠材（枠材１１から枠材３２）の長手方向中央から、やや右又は左側に形成するようにしてもよい。
【００５５】
加えて、本実施例では、第１−２の階段部ｂを第１−１の階段部ａと対向する位置に、第２−２の階段部ｄを第２−１の階段部ｃと対向する位置に、第３−２の階段部ｆを第３−１の階段部ｅと対向する位置に、それぞれ形成するものとしているが、これも上記同様、各枠体（１０、２０及び３０）を、回転又は反転させながら、正しい組み合わせの階段部同士を同一列に揃えつつ、これら相互に組み合わせることができるのであれば、これら一方の階段部（ｂ、ｄ、ｆ）を他の階段部（ａ、ｃ、ｅ）と対向しない位置に形成することもできる。例えば、第１−１の階段部ａを枠材１１の長手方向中央付近に形成し、第１−２の階段部ｂを枠材１２の長手方向中央から、やや右又は左側に形成することができる（第２−２の階段部ｄと第２−１の階段部ｃ、第３−２の階段部ｆと第３−１の階段部ｅも同様の変形が可能である）。
【００５６】
また、本実施例では、第１−１の階段部ａから第３−２の階段部ｆの横幅を、それぞれが形成されている枠材（枠材１１から枠材３２）の横幅の長さの半分に形成するものとしているが、第１−１の階段部ａの横幅と第２−２の階段部ｄの横幅を合わせた長さ及び第１−２の階段部ｂの横幅と第２−１の階段部ｃの横幅を合わせた長さが、枠材１１、枠材１２、枠材２１及び枠材２２の横幅の長さと同一であって、第３−１の階段部ｅの横幅と第１−２の階段部ｂ及び第２−２の階段部ｄのそれぞれの横幅を合わせた長さ及び第３−２の階段部ｆの横幅と第１−１の階段部ａ及び第２−１の階段部ｃのそれぞれの横幅を合わせた長さが、枠材１１、枠材１２、枠材２１、枠材２２、枠材３１及び枠材３２の横幅の長さと同一となるのであれば、これら階段部（ａからｆ）の横幅を、異なる幅で形成することもできる。
【００５７】
例えば、枠材１１、枠材１２、枠材２１、枠材２２、枠材３１及び枠材３２の横幅の長さを１ｃｍとした場合、第１−１の階段部ａの横幅を０．７ｃｍ、第１−２の階段部ｂの横幅を０．３ｃｍ、第２−１の階段部ｃの横幅を０．７ｃｍ、第２−２の階段部ｄの横幅を０．３ｃｍ、第３−１の階段部ｅ（第１段目の階段ｅ１及び第２段目の階段ｅ２）の横幅を０．７ｃｍ、第３−２の階段部ｆ（第１段目の階段ｆ１及び第２段目の階段ｆ２）の横幅を０．３ｃｍに形成することができる。
【００５８】
さらに、本実施例では、第１−１の階段部ａから第３−２の階段部ｆを、それぞれが形成されている枠材（枠材１１から枠材３２）の短手方向一方の片側半分に形成するものとしているが、これら階段部（ａからｆ）を、それぞれが形成されている枠材（枠材１１から枠材３２）の短手方向他方の片側半分に形成することも可能である。
【００５９】
また、本実施例における第１の枠体１０、第２の枠体２０及び第３の枠体３０に、均一な四角枠等の模様を施せば、使用者は、より、これらの基本構造の違いに着目することが難しくなることから、本発明では、さらに、パズルの難易度を上げることができる（例えば、図３１（ａ）（ｂ）参照）。
【００６０】
なお、本実施例では、枠体の連結構造体１００を、第１の枠体１０、第２の枠体２０及び第３の枠体３０の３つの枠体から構成するものとしているが（以下、「３段構成」という。）、第３の枠体３０を複数用いることで、枠体の連結構造体１００を、さらに多くの枠体（４段からｎ段（ｎは「４」以上の整数））から構成することができる（無限に枠体を連結することができる）。なお、このときの第１−１の階段部ａから第３−２の階段部ｆの横幅の長さは、それぞれが形成されている枠材（枠材１１から枠材３２）の横幅の長さの半分に形成される。以下、図１２乃至図１４を用いて、この点について説明する。
【００６１】
図１２乃至図１４は、本発明の実施例１に係る枠体の連結構造体の変形例を表す右側面図である（各枠体及び各階段部を簡略化して（線図で）表している）。
【００６２】
［４段構成］
図１２に示す枠体の連結構造体１００は、第１の枠体１０、第２の枠体２０及び２つの第３の枠体３０から構成されるところ（４つの枠体から構成される。以下、「４段構成」という。）、４段構成の場合におけるこれら枠体（１０、２０、３０、３０）の組み合わせ方法は以下のとおりである。
【００６３】
まず、
第３−２の階段部ｆの第１段目の階段ｆ１を第１−１の階段部ａと、
第３−２の階段部ｆの第２段目の階段ｆ２を第３−１の階段部ｅの第１段目の階段ｅ１と、
第３−１の階段部ｅの第２段目の階段ｅ２を第２−２の階段部ｄと
組み合わせる。
すなわち、
切り欠き部３３に第２−２の階段部ｄ及び第３−２の階段部ｆの第２段目の階段ｆ２を、切り欠き部３４に第１−１の階段部ａ及び第３−１の階段部ｅの第１段目の階段ｅ１を嵌め込むようにする。
【００６４】
そして、これと同時に、
第３−１の階段部ｅの第１段目の階段ｅ１を第１−２の階段部ｂと、
第３−１の階段部ｅの第２段目の階段ｅ２を第３−２の階段部ｆの第１段目の階段ｆ１と、
第３−２の階段部ｆの第２段目の階段ｆ２を第２−１の階段部ｃと
組み合わせる。
すなわち、
切り欠き部３４に第２−１の階段部ｃ及び第３−１の階段部ｅの第２段目の階段ｅ２を、切り欠き部３３に第１−２の階段部ｂ及び第３−２の階段部ｆの第１段目の階段ｆ１を嵌め込むようにする。
このようにすることで、第１の枠体１０、第２の枠体２０及び２つの第３の枠体３０を上下に重ねるように組み合わせることができる。
【００６５】
このとき、第１段目の階段ｅ１、第２段目の階段ｅ２、第１段目の階段ｆ１、第２段目の階段ｆ２、第１−１の階段部ａ、第１−２の階段部ｂ、第２−１の階段部ｃ及び第２−２の階段部ｄの高さは同一であり（いずれも高さは概ね１ｃｍに形成される）、
第１段目の階段ｅ１の高さ方向下側半分は第２段目の階段ｅ２の高さ方向上側半分と、
第１段目の階段ｆ１の高さ方向下側半分は第２段目の階段ｆ２の高さ方向上側半分と
左右に並ぶ格好となっていることから、第１の枠体１０、第２の枠体２０及び２つの第３の枠体３０（複数の第３の枠体３０）を上下に重ねた厚みは、
第１−１の階段部ａ、１つの第３−１の階段部ｅ、１つの第３−２の階段部ｆ及び第２−２の階段部ｄを組み合わせたときの全体の高さ並びに
第１−２の階段部ｂ、１つの第３−２の階段部ｆ、１つの第３−１の階段部ｅ及び第２−１の階段部ｃを組み合わせたときの全体の高さ
と同一となる。
【００６６】
すなわち、
枠材１１の上段に位置するもの（枠材）と枠材３２の上段に位置するもの（枠材）が、
枠材１１の下段に位置するもの（枠材）と枠材３１の上段に位置するもの（枠材）が、
枠材３２の下段に位置するもの（枠材）と枠材２２の上段に位置するもの（枠材）が、
枠材３１の下段に位置するもの（枠材）と枠材２２の下段に位置するもの（枠材）が、
それぞれ同一平面上に揃う格好になるとともに、
枠材１２の上段に位置するもの（枠材）と枠材３１の上段に位置するもの（枠材）が、
枠材１２の下段に位置するもの（枠材）と枠材３２の上段に位置するもの（枠材）が、
枠材３１の下段に位置するもの（枠材）と枠材２１の上段に位置するもの（枠材）が、
枠材３２の下段に位置するもの（枠材）と枠材２１の下段に位置するもの（枠材）が、
それぞれ同一平面上に揃う格好になるのである（図１２参照）。
【００６７】
なお、４段構成の場合、第１の枠体１０、第２の枠体２０及び２つの第３の枠体３０は、第１の枠体１０、第３の枠体３０、第３の枠体３０、第２の枠体２０の順に鎖状に連結することで、全体として連結する格好となる（図示略）。
【００６８】
［５段構成］
図１３に示す枠体の連結構造体１００は、第１の枠体１０、第２の枠体２０及び３つの第３の枠体３０から構成されるところ（５つの枠体から構成される。以下、「５段構成」という。）、５段構成の場合におけるこれら枠体（１０、２０、３０、３０、３０）の組み合わせ方法は以下のとおりである。
【００６９】
まず、
第３−２の階段部ｆの第１段目の階段ｆ１を第１−１の階段部ａと、
第３−２の階段部ｆの第２段目の階段ｆ２を第３−１の階段部ｅの第１段目の階段ｅ１と、
第３−１の階段部ｅの第２段目の階段ｅ２を第３−２の階段部ｆの第１段目の階段ｆ１と、
第３−２の階段部ｆの第２段目の階段ｆ２を第２−１の階段部ｃと
組み合わせる。
すなわち、切り欠き部３４に第１−１の階段部ａ、第３−１の階段部ｅの第１段目の階段ｅ１、第３−１の階段部ｅの第２段目の階段ｅ２及び第２−１の階段部ｃを嵌め込むようにする。
【００７０】
そして、これと同時に、
第３−１の階段部ｅの第１段目の階段ｅ１を第１−２の階段部ｂと、
第３−１の階段部ｅの第２段目の階段ｅ２を第３−２の階段部ｆの第１段目の階段ｆ１と、
第３−２の階段部ｆの第２段目の階段ｆ２を第３−１の階段部ｅの第１段目の階段ｅ１と、
第３−１の階段部ｅの第２段目の階段ｅ２を第２−２の階段部ｄと
組み合わせる。
すなわち、切り欠き部３３に第１−２の階段部ｂ、第３−２の階段部ｆの第１段目の階段ｆ１、第３−２の階段部ｆの第２段目の階段ｆ２及び第２−２の階段部ｄを嵌め込むようにする。
このようにすることで、第１の枠体１０、第２の枠体２０及び３つの第３の枠体３０を上下に重ねるように組み合わせることができる。
【００７１】
このとき、第１段目の階段ｅ１、第２段目の階段ｅ２、第１段目の階段ｆ１、第２段目の階段ｆ２、第１−１の階段部ａ、第１−２の階段部ｂ、第２−２の階段部ｄ及び第２−１の階段部ｃの高さは同一であり（いずれも高さは概ね１ｃｍに形成される）、
第１段目の階段ｅ１の高さ方向下側半分は第２段目の階段ｅ２の高さ方向上側半分と、
第１段目の階段ｆ１の高さ方向下側半分は第２段目の階段ｆ２の高さ方向上側半分と
左右に並ぶ格好となっていることから、第１の枠体１０、第２の枠体２０及び３つの第３の枠体３０（複数の第３の枠体３０）を上下に重ねた厚みは、
第１−１の階段部ａ、１つの第３−１の階段部ｅ、２つの第３−２の階段部ｆ及び第２−１の階段部ｃを組み合わせたときの全体の高さ並びに
第１−２の階段部ｂ、１つの第３−２の階段部ｆ、２つの第３−１の階段部ｅ及び第２−２の階段部ｄを組み合わせたときの全体の高さ
と同一となる。
【００７２】
すなわち、
枠材１１の上段に位置するもの（枠材）と枠材３２の上段に位置するもの（枠材）が、
枠材１１の下段に位置するもの（枠材）と枠材３１の上段に位置するもの（枠材）が、
枠材３２の下段に位置するもの（枠材）と枠材３２の上段に位置するもの（枠材）が、
枠材３１の下段に位置するもの（枠材）と枠材２１の上段に位置するもの（枠材）が、
枠材３２の下段に位置するもの（枠材）と枠材２１の下段に位置するもの（枠材）が、
それぞれ同一平面上に揃う格好になるとともに、
枠材１２の上段に位置するもの（枠材）と枠材３１の上段に位置するもの（枠材）が、
枠材１２の下段に位置するもの（枠材）と枠材３２の上段に位置するもの（枠材）が、
枠材３１の下段に位置するもの（枠材）と枠材３１の上段に位置するもの（枠材）が、
枠材３２の下段に位置するもの（枠材）と枠材２２の上段に位置するもの（枠材）が、
枠材３１の下段に位置するもの（枠材）と枠材２２の下段に位置するもの（枠材）が、
それぞれ同一平面上に揃う格好になるのである（図１３参照）。
【００７３】
なお、５段構成の場合、第１の枠体１０、第２の枠体２０及び３つの第３の枠体３０は、第１の枠体１０、第３の枠体３０、第３の枠体３０、第３の枠体３０、第２の枠体２０の順に鎖状に連結することで、全体として連結する格好となる（図示略）。
【００７４】
［６段構成］
図１４に示す枠体の連結構造体１００は、第１の枠体１０、第２の枠体２０及び４つの第３の枠体３０から構成されるところ（６つの枠体から構成される。以下、「６段構成」という。）、６段構成の場合におけるこれら枠体（１０、２０、３０、３０、３０、３０）の組み合わせ方法は以下のとおりである。
【００７５】
まず、
第３−２の階段部ｆの第１段目の階段ｆ１を第１−１の階段部ａと、
第３−２の階段部ｆの第２段目の階段ｆ２を第３−１の階段部ｅの第１段目の階段ｅ１と、
第３−１の階段部ｅの第２段目の階段ｅ２を第３−２の階段部ｆの第１段目の階段ｆ１と、
第３−１の階段部ｅの第１段目の階段ｅ１を第３−２の階段部ｆの第２段目の階段ｆ２と、
第３−１の階段部ｅの第２段目の階段ｅ２を第２−２の階段部ｄと
組み合わせる。
すなわち、
切り欠き部３４に第１−１の階段部ａ、２つの第３−１の階段部ｅの第１段目の階段ｅ１及び第３−１の階段部ｅの第２段目の階段ｅ２を、
切り欠き部３３に第２−２の階段部ｄを嵌め込むようにする。
【００７６】
そして、これと同時に、
第３−１の階段部ｅの第１段目の階段ｅ１を第１−２の階段部ｂと、
第３−１の階段部ｅの第２段目の階段ｅ２を第３−２の階段部ｆの第１段目の階段ｆ１と、
第３−２の階段部ｆの第２段目の階段ｆ２を第３−１の階段部ｅの第１段目の階段ｅ１と、
第３−２の階段部ｆの第１段目の階段ｆ１を第３−１の階段部ｅの第２段目の階段ｅ２と、
第３−２の階段部ｆの第２段目の階段ｆ２を第２−１の階段部ｃと
組み合わせる。
すなわち、
切り欠き部３３に第１−２の階段部ｂ、２つの第３−２の階段部ｆの第１段目の階段ｆ１、第３−２の階段部ｆの第２段目の階段ｆ２を、
切り欠き部３４に第２−１の階段部ｃを嵌め込むようにする。
このようにすることで、第１の枠体１０、第２の枠体２０及び４つの第３の枠体３０を上下に重ねるように組み合わせることができる。
【００７７】
このとき、第１段目の階段ｅ１、第２段目の階段ｅ２、第１段目の階段ｆ１、第２段目の階段ｆ２、第１−１の階段部ａ、第１−２の階段部ｂ、第２−１の階段部ｃ及び第２−２の階段部ｄの高さは同一であり（いずれも高さは概ね１ｃｍに形成される）、
第１段目の階段ｅ１の高さ方向下側半分は第２段目の階段ｅ２の高さ方向上側半分と、
第１段目の階段ｆ１の高さ方向下側半分は第２段目の階段ｆ２の高さ方向上側半分と
左右に並ぶ格好となっていることから、第１の枠体１０、第２の枠体２０及び４つの第３の枠体３０（複数の第３の枠体３０）を上下に重ねた厚みは、
第１−１の階段部ａ、２つの第３−１の階段部ｅ、２つの第３−２の階段部ｆ及び第２−２の階段部ｄを組み合わせたときの全体の高さ並びに
第１−２の階段部ｂ、２つの第３−２の階段部ｆ、２つの第３−１の階段部ｅ及び第２−１の階段部ｃを組み合わせたときの全体の高さ
と同一となる。
【００７８】
すなわち、
枠材１１の上段に位置するもの（枠材）と枠材３２の上段に位置するもの（枠材）が、
枠材１１の下段に位置するもの（枠材）と枠材３１の上段に位置するもの（枠材）が、
枠材３２の下段に位置するもの（枠材）と枠材３２の上段に位置するもの（枠材）が、
枠材３１の下段に位置するもの（枠材）と枠材３１の上段に位置するもの（枠材）が、
枠材３２の下段に位置するもの（枠材）と枠材２２の上段に位置するもの（枠材）が、
枠材３１の下段に位置するもの（枠材）と枠材２２の下段に位置するもの（枠材）が、
それぞれ同一平面上に揃う格好になるとともに、
枠材１２の上段に位置するもの（枠材）と枠材３１の上段に位置するもの（枠材）が、
枠材１２の下段に位置するもの（枠材）と枠材３２の上段に位置するもの（枠材）が、
枠材３１の下段に位置するもの（枠材）と枠材３１の上段に位置するもの（枠材）が、
枠材３２の下段に位置するもの（枠材）と枠材３２の上段に位置するもの（枠材）が、
枠材３１の下段に位置するもの（枠材）と枠材２１の上段に位置するもの（枠材）が、
枠材３２の下段に位置するもの（枠材）と枠材２１の下段に位置するもの（枠材）が、
それぞれ同一平面上に揃う格好になるのである（図１４参照）。
【００７９】
なお、６段構成の場合、第１の枠体１０、第２の枠体２０及び４つの第３の枠体３０は、第１の枠体１０、第３の枠体３０、第３の枠体３０、第３の枠体３０、第３の枠体３０、第２の枠体２０の順に鎖状に連結することで、全体として連結する格好となる（図示略）。
【００８０】
［組み合わせの規則性］
上記では、枠体の連結構造体１００を、４段から６段で構成する場合について説明したが、上記の各階段部（ａからｆ）の組み合わせにおける規則性に従えば、第３の枠体３０を複数用いることで、枠体の連結構造体１００を、さらに多くの枠体（４段からｎ段（ｎは「４」以上の整数））から構成することができるのである（無限に枠体を連結することができる）。すなわち、枠体の連結構造体１００を偶数段（４、６、８、１０・・・）で構成する場合には、階段部（ａからｆ）の組み合わせを、以下のように組み合わせる。
【００８１】
［偶数段の組み合わせ］
第１−１の階段部ａ
第３−１の階段部ｅ
第３−２の階段部ｆ（ｆの個数はｅと同数※１）
第２−２の階段部ｄ
［※１］
例えば、４段構成の場合は、「ｅ：１個  ｆ：１個」、６段構成の場合は、「ｅ：２個  ｆ：２個」、８段構成の場合は、「ｅ：３個  ｆ：３個」、１０段構成の場合は、「ｅ：４個  ｆ：４個」となる。
なお、反対側の階段部の組み合わせは、第１−２の階段部ｂ、第３−１の階段部ｅ、第３−２の階段部ｆ（ｆの個数はｅと同数）、第２−１の階段部ｃとなる（図１２及び図１４参照）。
【００８２】
また、枠体の連結構造体１００を奇数段（５、７、９、１１・・・）で構成する場合には、階段部（ａからｆ）の組み合わせを、以下のように組み合わせる。
【００８３】
［奇数段の組み合わせ］
第１−１の階段部ａ
第３−１の階段部ｅ
第３−２の階段部ｆ（ｆの個数はｅの個数よりも「１つ」多い※２）
第２−１の階段部ｃ
［※２］
例えば、５段構成の場合は、「ｅ：１個  ｆ：２個」、７段構成の場合は、「ｅ：２個  ｆ：３個」、９段構成の場合は、「ｅ：３個  ｆ：４個」、１１段構成の場合は、「ｅ：４個  ｆ：５個」となる。
なお、反対側の階段部の組み合わせは、第１−２の階段部ｂ、第３−１の階段部ｅ、第３−２の階段部ｆ（ｆの個数はｅの個数よりも「１つ」少ない※３）、第２−２の階段部ｄとなる（図１３参照）。
［※３］
例えば、５段構成の場合は、「ｅ：２個  ｆ：１個」、７段構成の場合は、「ｅ：３個  ｆ：２個」、９段構成の場合は、「ｅ：４個  ｆ：３個」、１１段構成の場合は、「ｅ：５個  ｆ：４個」となる。
【００８４】
このように、上記各階段部（ａからｆ）の組み合わせにおける規則性に従えば、枠体の連結構造体１００を、さらに多くの枠体から構成することができることから（無限に枠体を連結することができる）、本発明を用いれば、使用者が望む数の第３の枠体を用いることで、パズルの難易度を柔軟に設定することができる（例えば、第３の枠体の数を増やすことで、パズルの難易度を上げる等）。また、無限の数の第３の枠体を用いることが可能な本発明を用いれば、収納時にコンパクトに収納することのできる鎖の連結構造体をも提供することができる（例えば、「鎖」の陳列時や出荷（運搬）時等に、各枠体を組み合わせておけば（鎖をコンパクトに収納すれば）、陳列スペースの有効活用や鎖の大量運搬が可能となる）。なお、上記同様、この場合においても、製造容易な枠体の連結構造体を提供することができることは勿論である。
【００８５】
なお、本実施例では、枠体の連結構造体１００を、第１の枠体１０、第２の枠体２０及び第３の枠体３０より構成するものとしているが、これを、第１の枠体１０及び第２の枠体２０のみから構成することもできる。
【００８６】
図１５は、本発明の実施例１に係る枠体の連結構造体の変形例を表す右側面図である（各枠体及び各階段部を簡略化して（線図で）表している）。
【００８７】
［２段構成］
図１５に示す枠体の連結構造体１００は、第１の枠体１０及び第２の枠体２０から構成されるところ（２つの枠体から構成される。以下、「２段構成」という。）、２段構成の場合におけるこれら枠体（１０、２０）の組み合わせ方法は以下のとおりである。
【００８８】
まず、
第１−１の階段部ａを第２−２の階段部ｄと組み合わせる。
すなわち、
切り欠き部１３に第２−２の階段部ｄを嵌め込むようにする。
【００８９】
そして、これと同時に、
第１−２の階段部ｂを第２−１の階段部ｃと組み合わせる。
すなわち、
切り欠き部１４に第２−１の階段部ｃを嵌め込むようにする。
このようにすることで、第１の枠体１０及び第２の枠体２０を上下に重ねるように組み合わせることができる。
【００９０】
このとき、第１−１の階段部ａ、第１−２の階段部ｂ、第２−１の階段部ｃ及び第２−２の階段部ｄの高さは同一であることから（いずれも高さは概ね１ｃｍに形成される）、第１の枠体１０及び第２の枠体２０を上下に重ねた厚みは、第１−１の階段部ａから第２−２の階段部ｄの高さと同一となる。
【００９１】
すなわち、
枠材１１の上段に位置するもの（枠材）と枠材２２の上段に位置するもの（枠材）が、
枠材１１の下段に位置するもの（枠材）と枠材２２の下段に位置するもの（枠材）が、
それぞれ同一平面上に揃う格好になるとともに、
枠材１２の上段に位置するもの（枠材）と枠材２１の上段に位置するもの（枠材）が、
枠材１２の下段に位置するもの（枠材）と枠材２１の下段に位置するもの（枠材）が、
それぞれ同一平面上に揃う格好になるのである（図１５参照）。
【００９２】
なお、２段構成の場合、第１の枠体１０及び第２の枠体２０は、鎖状に連結することで、全体として連結する格好となる（図示略）。
【００９３】
このように、枠体の連結構造体１００を、２段構成とした場合、３段以上の構成と比較して、構成される枠体の数は少なくなるものの、第１−１の階段部ａから第２−２の階段部ｄの基本構造並びに第１の枠体１０及び第２の枠体２０の基本構造は、それぞれ、完全に同一となることから、使用者は、パズルを解くためのヒントを得ることが難しく、容易に、パズル（枠体の連結構造体１００）の解を導き出すことができない。
【００９４】
よって、使用者は、各枠体（１０、２０）等の基本構造の違いに着目し、これをヒントに、枠体１０及び第２の枠体２０を組み合わせた形状を容易に想起することができないことから、本発明では、シンプルかつ難易度の高いパズルを提供することができる。なお、上記同様、この場合においても、製造容易な枠体の連結構造体を提供することができることは勿論である。
【００９５】
このように、本実施例では、本発明の趣旨を逸脱しない範囲で種々の変更が可能であることはいうまでもない。
【実施例２】
【００９６】
次に、図１６乃至図１９を用いて、本発明の実施例２に係る枠体の連結構造体２００の形態について説明する。
【００９７】
図１６は本発明の実施例２に係る枠体の連結構造体の第５の枠体の斜視図であり、図１７は本発明の実施例２に係る枠体の連結構造体の第５の枠体の右側面図である。また、図１８は本発明の実施例２に係る枠体の連結構造体の第５の枠体の平面図であり、図１９は本発明の実施例２に係る枠体の連結構造体の第１から第５の枠体を連結した状態を表す平面図である（各枠体及び各階段部を簡略化して（線図で）表している）。
【００９８】
図１６乃至図１９に示すように、枠体の連結構造体２００は、第１の枠体１０、第２の枠体２０、第３の枠体３０、第４の枠体４０及び第５の枠体５０を備える。なお、ここでの第１の枠体１０、第２の枠体２０及び第３の枠体３０は、実施例１に係る枠体の連結構造体１００の第１の枠体１０、第２の枠体２０及び第３の枠体３０と同一のものであることから、枠体の連結構造体２００を構成する第１の枠体１０、第２の枠体２０及び第３の枠体３０の具体的な形態についての説明は省略する（ただし、第３の枠体３０の寸法については、異なる点があるため説明を加える。）。また、第４の枠体４０は、実施例１に係る枠体の連結構造体１００の第１の枠体１０と同様の構成からなるものであり（枠材４１は枠材１１に、枠材４２は枠材１２に、第４−１の階段部ｇは第１−１の階段部ａに、第４−２の階段部ｈは第１−２の階段部ｂに、切り欠き部４３は切り欠き部１３に、切り欠き部４４は切り欠き部１４に相当する）、これらは、同一の形状にて形成されていることから、ここでは、第４の枠体４０の具体的な形態に関する説明についても省略する（以下では、主に、実施例１に係る枠体の連結構造体１００と異なる構成である「第５の枠体５０」の形態について説明する）。
【００９９】
［第５の枠体５０］
図１６乃至図１８に示すように、第５の枠体５０は、全体が平面視において、矩形状にて形成されており、第５の枠体５０を構成する枠材５１及び枠材５２には、それぞれ、階段状に３段落としてなる階段部が形成されている（枠材５１には第５−１の階段部ｉが、枠材５２には第５−２の階段部ｊが形成されている）。第５−１の階段部ｉは、枠材５１の長手方向中央付近に形成されており、第５−２の階段部ｊは、第５−１の階段部ｉと対向する位置に形成される（すなわち、第５−２の階段部ｊは、枠材５２の長手方向中央付近に形成される）。なお、枠材５１及び枠材５２の横幅の長さは、枠材１１、枠材１２、枠材２１、枠材２２、枠材３１、枠材３２、枠材４１及び枠材４２の横幅の長さと同一の長さで形成されるとともに、第５−１の階段部ｉと第５−２の階段部ｊの高さは同一の高さで形成される。
【０１００】
図１６及び図１７に示すように、第５−１の階段部ｉ及び第５−２の階段部ｊは、階段状に３段落としてなるように形成されているところ、第５−１の階段部ｉは、第１段目の階段ｉ１、第２段目の階段ｉ２及び第３段目の階段ｉ３より構成されており、第５−２の階段部ｊは、第１段目の階段ｊ１、第２段目の階段ｊ２及び第３段目の階段ｊ３より構成されている。なお、第１段目の階段ｉ１の高さ方向下側半分は第２段目の階段ｉ２の高さ方向上側半分と、第３段目の階段ｉ３の高さ方向上側半分は第２段目の階段ｉ２の高さ方向下側半分と、第１段目の階段ｊ１の高さ方向下側半分は第２段目の階段ｊ２の高さ方向上側半分と、第３段目の階段ｊ３の高さ方向上側半分は第２段目の階段ｊ２の高さ方向下側半分と左右に並ぶ格好となっている。
【０１０１】
図１７に示すように、第５−１の階段部ｉの第１段目の階段ｉ１の高さ方向上側半分の位置からは、枠材５１が右方向（第５の枠体５０を右側面から見た場合における右方向のこと。以下同じ。）に延設されるとともに、第５−１の階段部ｉの第３段目の階段ｉ３の高さ方向下側半分の位置からは、枠材５２が左方向（第５の枠体５０を右側面から見た場合における左方向のこと。以下同じ。）に延設されている。また、第５−２の階段部ｊの第１段目の階段ｊ１の高さ方向上側半分の位置からは、枠材５２が左方向（第５の枠体５０を左側面から見た場合における左方向のこと。以下同じ。）に延設されるとともに、第５−２の階段部ｊの第３段目の階段ｊ３の高さ方向下側半分の位置からは、枠材５２が右方向（第５の枠体５０を左側面から見た場合における右方向のこと。以下同じ。）に延設されている（図示略）。
【０１０２】
すなわち、枠材５１は、側面視において、第５−１の階段部ｉを境に、上段に位置するもの（枠材）と下段に位置するもの（枠材）とに分かれており、全体が階段状に３段落としてなる格好となっている。また、枠材５２も、枠材５１と同様に、側面視において、第５−２の階段部ｊを境にして、上段に位置するもの（枠材）と下段に位置するもの（枠材）とに分かれており、全体が階段状に３段落としてなる格好となっている。
【０１０３】
図１８に示すように、第５−１の階段部ｉ（第１段目の階段ｉ１、第２段目の階段ｉ２及び第３段目の階段ｉ３）は、横幅が枠材５１の横幅の長さの半分に形成されており、枠材５１の外側に形成される。なお、第５−１の階段部ｉ（第１段目の階段ｉ１、第２段目の階段ｉ２及び第３段目の階段ｉ３）が形成されている箇所の枠材５１の内側半分には、第５−１の階段部ｉ（第１段目の階段ｉ１、第２段目の階段ｉ２及び第３段目の階段ｉ３）と同形状からなる切り欠き部５３が形成されている。また、第５−２の階段部ｊ（第１段目の階段ｊ１、第２段目の階段ｊ２及び第３段目の階段ｊ３）も、第５−１の階段部ｉと同様に、横幅が枠材５２の横幅の長さの半分に形成されており、枠材５２の内側に形成される。なお、第５−２の階段部ｊ（第１段目の階段ｊ１、第２段目の階段ｊ２及び第３段目の階段ｊ３）が形成されている箇所の枠材５２の外側半分には、第５−２の階段部ｊ（第１段目の階段ｊ１、第２段目の階段ｊ２及び第３段目の階段ｊ３）と同形状からなる切り欠き部５４が形成されている。
【０１０４】
第５の枠体５０の全体の長手方向の長さは概ね７ｃｍに形成され、枠材５１、枠材５２及び他の枠材の横幅の長さは概ね１ｃｍ、厚みは概ね０．５ｃｍに形成される。また、第５−１の階段部ｉ及び第５−２の階段部ｊの高さ（第１段目の階段ｉ１の高さ方向下側半分と第２段目の階段ｉ２の高さ方向上側半分及び第３段目の階段ｉ３の高さ方向上側半分と第２段目の階段ｉ２の高さ方向下側半分とが左右に並んだ状態での高さ及び第１段目の階段ｊ１の高さ方向下側半分と第２段目の階段ｊ２の高さ方向上側半分及び第３段目の階段ｊ３の高さ方向上側半分と第２段目の階段ｊ２の高さ方向下側半分とが左右に並んだ状態での高さ）は概ね２ｃｍ（第１段目の階段ｉ１、第２段目の階段ｉ２、第３段目の階段ｉ３、第１段目の階段ｊ１、第２段目の階段ｊ２及び第３段目の階段ｊ３の高さは概ね１ｃｍとなる）、横幅は概ね０．５ｃｍに形成され、枠材５１及び枠材５２の上段に位置するもの（枠材）の長手方向の長さは概ね３ｃｍ、下段に位置するもの（枠材）の長手方向の長さは概ね２．５ｃｍに形成される。なお、第５の枠体５０（枠材５１、枠材５２及び他の枠材並びに第５−１の階段部ｉ及び第５−２の階段部ｊ）は、例えば、木材、プラスチック等にて形成することができる。
【０１０５】
［第３の枠体３０］
本実施例における第３の枠体３０の枠材３１及び枠材３２の上段に位置するもの（枠材）の長手方向の長さは概ね３．５ｃｍ、下段に位置するもの（枠材）の長手方向の長さは概ね２．５ｃｍに形成される。なお、本実施例における第３の枠体３０のその他の構成等については、実施例１に係る枠体の連結構造体１００の第３の枠体３０と同一である。
【０１０６】
［第１の枠体１０から第５の枠体５０の関係性］
図１９に示すように、第１の枠体１０から第５の枠体５０は、第２の枠体２０、第３の枠体３０、第５の枠体５０、第１の枠体１０及び第４の枠体４０の順に連結することで（第１の枠体１０及び第４の枠体４０は、それぞれ、第５の枠体５０に連結されている）、全体として連結する格好となっている。
【０１０７】
続いて、図２０を用いて、本発明の実施例２に係る枠体の連結構造体２００の使用方法（組み合わせ方法）について説明する。
【０１０８】
図２０は本発明の実施例２に係る枠体の連結構造体の第１から第５の枠体を組み合わせた状態を表す右側面図である（各枠体及び各階段部を簡略化して（線図で）表している）。
【０１０９】
図２０に示すように、第１の枠体１０から第５の枠体５０は、「第１−１の階段部ａ、第２−２の階段部ｄ、第３−１の階段部ｅ、第４−１の階段部ｇ及び第５−２の階段部ｊ」を組み合わせるとともに、「第１−２の階段部ｂ、第２−１の階段部ｃ、第３−２の階段部ｆ、第４−２の階段部ｈ及び第５−１の階段部ｉ」を組み合わせることで、上下に重ねるように組み合わせることができる。
【０１１０】
具体的には、まず、
第５−２の階段部ｊの第１段目の階段ｊ１を第１−１の階段部ａと、
第５−２の階段部ｊの第２段目の階段ｊ２を第４−１の階段部ｇと、
第５−２の階段部ｊの第３段目の階段ｊ３を第３−１の階段部ｅの第１段目の階段ｅ１と、
第３−１の階段部ｅの第２段目の階段ｅ２を第２−２の階段部ｄと
組み合わせる。
すなわち、
切り欠き部５４に第１−１の階段部ａ、４−１の階段部ｇ、第３−１の階段部ｅの第１段目の階段ｅ１を、
切り欠き部３３に第２−２の階段部ｄを嵌め込むようにする。
【０１１１】
そして、これと同時に、
第５−１の階段部ｉの第１段目の階段ｉ１を第１−２の階段部ｂと、
第５−１の階段部ｉの第２段目の階段ｉ２を第４−２の階段部ｈと、
第５−１の階段部ｉの第３段目の階段ｉ３を第３−２の階段部ｆの第１段目の階段ｆ１と、
第３−２の階段部ｆの第２段目の階段ｆ２を第２−１の階段部ｃと
組み合わせる。
すなわち、
切り欠き部５３に第１−２の階段部ｂ、４−２の階段部ｈ、第３−２の階段部ｆの第１段目の階段ｆ１を、
切り欠き部３４に第２−１の階段部ｃを嵌め込むようにする。
このようにすることで、第１の枠体１０から第５の枠体５０を上下に重ねるように組み合わせることができる。
【０１１２】
このとき、枠材５１及び枠材５２の横幅の長さは、枠材１１、枠材１２、枠材２１、枠材２２、枠材３１、枠材３２、枠材４１及び枠材４２の横幅の長さと同一の長さで形成されており、第１−１の階段部ａから第５−２の階段部ｊの横幅の長さは、これら階段部（ａからｊ）が、それぞれ形成されている枠材（１１から５２）の横幅の長さの半分に形成されていることから、枠材１１、枠材２２、枠材３１、枠材４１及び枠材５２並びに枠材１２、枠材２１、枠材３２、枠材４２及び枠材５１は、綺麗に重なる格好となる（図示略）。
【０１１３】
また、第１段目の階段ｉ１、第２段目の階段ｉ２、第３段目の階段ｉ３、第１段目の階段ｊ１、第２段目の階段ｊ２、第３段目の階段ｊ３、第１段目の階段ｅ１、第２段目の階段ｅ２、第１段目の階段ｆ１、第２段目の階段ｆ２、第１−１の階段部ａ、第１−２の階段部ｂ、第２−１の階段部ｃ、第２−２の階段部ｄ、第４−１の階段部ｇ及び第４−２の階段部ｈの高さは同一であり（いずれも高さは概ね１ｃｍに形成される）、
第１段目の階段ｉ１の高さ方向下側半分は第２段目の階段ｉ２の高さ方向上側半分と、
第３段目の階段ｉ３の高さ方向上側半分は第２段目の階段ｉ２の高さ方向下側半分と、
第１段目の階段ｊ１の高さ方向下側半分は第２段目の階段ｊ２の高さ方向上側半分と、
第３段目の階段ｊ３の高さ方向上側半分は第２段目の階段ｊ２の高さ方向下側半分と、
第１段目の階段ｅ１の高さ方向下側半分は第２段目の階段ｅ２の高さ方向上側半分と、
第１段目の階段ｆ１の高さ方向下側半分は第２段目の階段ｆ２の高さ方向上側半分と
左右に並ぶ格好となっていることから、第１の枠体１０から第５の枠体５０を上下に重ねた厚みは、
第１−１の階段部ａ、第２−２の階段部ｄ、第３−１の階段部ｅ、第４−１の階段部ｇ及び第５−２の階段部ｊを組み合わせたときの全体の高さ並びに
第１−２の階段部ｂ、第２−１の階段部ｃ、第３−２の階段部ｆ、第４−２の階段部ｈ及び第５−１の階段部ｉを組み合わせたときの全体の高さ
と同一となる。
【０１１４】
すなわち、
枠材１１の上段に位置するもの（枠材）と枠材５２の上段に位置するもの（枠材）が、
枠材１１の下段に位置するもの（枠材）と枠材４１の上段に位置するもの（枠材）が、
枠材４１の下段に位置するもの（枠材）と枠材３１の上段に位置するもの（枠材）が、
枠材５２の下段に位置するもの（枠材）と枠材２２の上段に位置するもの（枠材）が、
枠材３１の下段に位置するもの（枠材）と枠材２２の下段に位置するもの（枠材）が、
それぞれ同一平面上に揃う格好になるとともに、
枠材１２の上段に位置するもの（枠材）と枠材５１の上段に位置するもの（枠材）が、
枠材１２の下段に位置するもの（枠材）と枠材４２の上段に位置するもの（枠材）が、
枠材４２の下段に位置するもの（枠材）と枠材３２の上段に位置するもの（枠材）が、
枠材５１の下段に位置するもの（枠材）と枠材２１の上段に位置するもの（枠材）が、
枠材３２の下段に位置するもの（枠材）と枠材２１の下段に位置するもの（枠材）が、
それぞれ同一平面上に揃う格好になるのである（図２０参照）。
【０１１５】
このように、本実施例に係る枠体の連結構造体２００では、正しい組み合わせの階段部同士（「第１−１の階段部ａ、第２−２の階段部ｄ、第３−１の階段部ｅ、第４−１の階段部ｇ及び第５−２の階段部ｊ」の組み合わせと「第１−２の階段部ｂ、第２−１の階段部ｃ、第３−２の階段部ｆ、第４−２の階段部ｈ及び第５−１の階段部ｉ」の組み合わせ）を同一列に揃えつつ、これら相互に組み合わせることで、各枠体（１０、２０、３０、４０及び５０）を上下に重ねるように組み合わせることができる。
【０１１６】
以上より、本発明における第１の枠体１０、第２の枠体２０、第３の枠体３０、第４の枠体４０及び第５の枠体５０（各階段部ａからｊを含む）は、その基本構造が共通するものであり（全ての枠体は、全体が平面視において、矩形状にて形成されており、各枠材には、階段状からなる階段部が形成されているため）、使用者は、これらの枠体１０、２０、３０、４０及び５０を組み合わせる際に（パズルとしての本発明を解く際）、これらの基本構造の違いに着目することが難しいことから、パズルを解くためのヒントを容易に得ることができない（すなわち、枠体１０、２０及び４０と３０と５０は、階段部の段数に違いがあるものの（１段、２段、３段で異なる）、それ以外の構造は全て共通するものであることから、これらの枠体１０、２０、３０、４０及び５０が連結された状態では、使用者は、これらの基本構造の違いに着目することが困難なのである）。
【０１１７】
よって、本発明を用いれば、使用者は、容易にパズル（パズルとしての枠体の連結構造体２００）の解を導き出すことができないことから、本発明では、難易度の高いパズルを提供することができる。また、本発明は、各階段部（ａからｊ）の基本構造及び各枠体（１０、２０、３０、４０及び５０）の基本構造が、それぞれ、共通するものであることから、製造に手間とコストを要することなく、これを製造することができる。したがって、本発明では、製造容易な枠体の連結構造体を提供することができる。
【０１１８】
なお、本実施例に係る枠体の連結構造体２００の寸法、形状、各階段部（ａからｊ）の位置、各階段部（ａからｊ）の相互の位置関係及び各枠体（１０、２０、３０、４０及び５０）に施される模様を、実施例１に係る枠体の連結構造体１００と同様に変形することができることは勿論である。
【０１１９】
このように、本実施例では、本発明の趣旨を逸脱しない範囲で種々の変更が可能であることはいうまでもない。
【実施例３】
【０１２０】
さらに、図２１乃至図２９を用いて、本発明の実施例３に係る枠体の連結構造体３００の形態について説明する。
【０１２１】
図２１は本発明の実施例３に係る枠体の連結構造体の第６及び第７の枠体の斜視図であり、図２２は本発明の実施例３に係る枠体の連結構造体の第６及び第７の枠体の右側面図である。図２３は本発明の実施例３に係る枠体の連結構造体の第６及び第７の枠体の平面図であり、図２４本発明の実施例３に係る枠体の連結構造体の第８の枠体の斜視図である。図２５は本発明の実施例３に係る枠体の連結構造体の第８の枠体の右側面図であり、図２６は本発明の実施例３に係る枠体の連結構造体の第８の枠体の平面図である。また、図２７は本発明の実施例３に係る枠体の連結構造体の第１及び第２の枠体の斜視図、図２８は本発明の実施例３に係る枠体の連結構造体の第１及び第２の枠体の右側面図、図２９は本発明の実施例３に係る枠体の連結構造体の第１及び第２並びに第６から第８の枠体を連結した状態を表す平面図である（各枠体及び各階段部を簡略化して（線図で）表している）。
【０１２２】
図２１乃至図２９に示すように、枠体の連結構造体３００は、第１の枠体９０、第２の枠体９５、第６の枠体６０、第７の枠体７０及び第８の枠体８０を備える。なお、ここでの第１の枠体９０及び第２の枠体９５は、実施例１に係る枠体の連結構造体１００の第１の枠体１０及び第２の枠体２０と同一のものであることから、枠体の連結構造体３００を構成する第１の枠体９０及び第２の枠体９５の具体的な形態についての説明は省略する。なお、第１−１の階段部ｑから第２−２階段部ｔが形成される位置については、念のために説明を加えるものとする。
【０１２３】
［第６の枠体６０］
図２１乃至図２３に示すように、第６の枠体６０は、全体が平面視において、矩形状にて形成されており、第６の枠体６０を構成する枠材６１及び枠材６２には、それぞれ、階段状に１段落としてなるＬ字状からなる階段部が形成されている（枠材６１には第６−１の階段部ｋが、枠材６２には第６−２の階段部ｌが形成されている）。第６−１の階段部ｋは、枠材６１の長手方向中央付近に形成されており、第６−２の階段部ｌは、第６−１の階段部ｋと対向する位置に形成される（すなわち、第６−２の階段部ｌは、枠材６２の長手方向中央付近に形成される）。なお、枠材６１及び枠材６２の横幅の長さは、枠材９１、枠材９２、枠材９６、枠材９７並びに後述する枠材７１、枠材７２、枠材８１及び枠材８２の横幅の長さと同一の長さで形成されるとともに、第６−１の階段部ｋと第６−２の階段部ｌの高さは同一の高さで形成される。
【０１２４】
図２２に示すように、第６−２の階段部ｌの高さ方向上側１／３の位置からは、枠材６２が右方向（第６の枠体６０を右側面から見た場合における右方向のこと。以下同じ。）に延設されるとともに、第６−２の階段部ｌの高さ方向下側１／３の位置からは、枠材６２が左方向（第６の枠体６０を右側面から見た場合における左方向のこと。以下同じ。）に延設されている。また、第６−１の階段部ｋの高さ方向上側１／３の位置からは、枠材６１が左方向（第６の枠体６０を左側面から見た場合における左方向のこと。以下同じ。）に延設されるとともに、第６−１の階段部ｋの高さ方向下側１／３の位置からは、枠材６１が右方向（第６の枠体６０を左側面から見た場合における右方向のこと。以下同じ。）に延設されている（図示略）。
【０１２５】
すなわち、枠材６１は、側面視において、第６−１の階段部ｋを境に、上段に位置するもの（枠材）と下段に位置するもの（枠材）とに分かれており、全体が階段状に１段落としてなる格好となっている。また、枠材６２も、枠材６１と同様に、側面視において、第６−２の階段部ｌを境にして、上段に位置するもの（枠材）と下段に位置するもの（枠材）とに分かれており、全体が階段状に１段落としてなる格好となっている。
【０１２６】
図２３に示すように、第６−１の階段部ｋは、横幅が枠材６１の横幅の長さの半分に形成されており、枠材６１の外側に形成される。なお、第６−１の階段部ｋが形成されている箇所の枠材６１の内側半分には、第６−１の階段部ｋと同形状からなる切り欠き部６３が形成されている。また、６−２の階段部ｌも、第６−１の階段部ｋと同様に、横幅が枠材６２の横幅の長さの半分に形成されており、枠材６２の内側に形成される。なお、第６−２の階段部ｌが形成されている箇所の枠材６２の外側半分には、第６−２の階段部ｌと同形状からなる切り欠き部６４が形成されている。
【０１２７】
第６の枠体６０の全体の長手方向の長さは概ね７ｃｍに形成され、枠材６１、枠材６２及び他の枠材の横幅の長さは概ね１ｃｍ、厚みは概ね０．５ｃｍに形成される。また、第６−１の階段部ｋ及び第６−２の階段部ｌの高さは概ね１．５ｃｍ、横幅は概ね０．５ｃｍに形成され、枠材６１及び枠材６２の上段に位置するもの（枠材）の長手方向の長さは概ね３．５ｃｍに、下段に位置するもの（枠材）の長手方向の長さは概ね２．５ｃｍに形成される。なお、第６の枠体６０（枠材６１、枠材６２及び他の枠材並びに第６−１の階段部ｋ及び第６−２の階段部ｌ）は、例えば、木材、プラスチック等にて形成することができる。
【０１２８】
［第７の枠体７０］
図２１乃至図２３に示すとおり、第７の枠体７０は、第６の枠体６０と同様の構成からなるものであり（枠材７１は枠材６１に、枠材７２は枠材６２に、第７−１の階段部ｍは第６−１の階段部ｋに、第７−２の階段部ｎは第６−２の階段部ｌに、切り欠き部７３は切り欠き部６３に、切り欠き部７４は切り欠き部６４に相当する）、これらは、同一の形状にて形成されていることから、ここでは、第７の枠体７０の具体的な形態に関する説明について省略する。
【０１２９】
［第８の枠体８０］
図２４乃至図２６に示すように、第８の枠体８０は、全体が平面視において、矩形状にて形成されており、第８の枠体８０を構成する枠材８１及び枠材８２には、それぞれ、階段状に２段落としてなる階段部が形成されている（枠材８１には第８−１の階段部ｏが、枠材８２には第８−２の階段部ｐが形成されている）。第８−１の階段部ｏは、枠材８１の長手方向中央付近に形成されており、第８−２の階段部ｐは、第８−１の階段部ｏと対向する位置に形成される（すなわち、第８−２の階段部ｐは、枠材８２の長手方向中央付近に形成される）。なお、枠材８１及び枠材８２の横幅の長さは、枠材９１、枠材９２、枠材９６、枠材９７、枠材６１、枠材６２、枠材７１及び枠材７２の横幅の長さと同一の長さで形成されるとともに、第８−１の階段部ｏと第８−２の階段部ｐの高さは同一の高さで形成される。
【０１３０】
図２４及び図２５に示すように、第８−１の階段部ｏ及び第８−２の階段部ｐは、階段状に２段落としてなるように形成されているところ、第８−１の階段部ｏは、第１段目の階段ｏ１及び第２段目の階段ｏ２より構成されており、第８−２の階段部ｐは、第１段目の階段ｐ１及び第２段目の階段ｐ２より構成されている。なお、第１段目の階段ｏ１は、第１段目の階段ｏ１と第２段目の階段ｏ２をつなぐ段部８５の横方向左（第８の枠体８０を左側面から見た場合における左方向のこと。以下同じ。）１／４の位置の上側に、第１段目の階段ｐ１は、第１段目の階段ｐ１と第２段目の階段ｐ２をつなぐ段部８６の横方向右（第８の枠体８０を右側面から見た場合における右方向のこと。以下同じ。）１／４の位置の上側に重なる格好となっている。
【０１３１】
図２５に示すように、第８−２の階段部ｐの第１段目の階段ｐ１からは、枠材８２が右方向（段部８６の横方向右）に延設されるとともに、第８−２の階段部ｐの第２段目の階段ｐ２の下側（段部８６の横方向左１／４の位置の下側）からは、枠材８２が左方向（段部８６の横方向左）に延設されている（枠材８２の一部は、段部８６の横方向左１／４の位置の下側に重ねられている）。また、第８−１の階段部ｏの第１段目の階段ｏ１からは、枠材８１が左方向（段部８５の横方向左）に延設されるとともに、第８−１の階段部ｏの第２段目の階段ｏ２の下側（段部８５の横方向右１／４の位置の下側）からは、枠材８１が右方向（段部８５の横方向右）に延設されている（枠材８１の一部は、段部８５の横方向右１／４の位置の下側に重ねられている。図示略）。
【０１３２】
すなわち、枠材８１は、側面視において、第８−１の階段部ｏを境に、上段に位置するもの（枠材）と下段に位置するもの（枠材）とに分かれており、全体が階段状に２段落としてなる格好となっている。また、枠材８２も、枠材８１と同様に、側面視において、第８−２の階段部ｐを境にして、上段に位置するもの（枠材）と下段に位置するもの（枠材）とに分かれており、全体が階段状に２段落としてなる格好となっている。
【０１３３】
図２６に示すように、第８−１の階段部ｏ（第１段目の階段ｏ１及び第２段目の階段ｏ２）は、横幅が枠材８１の横幅の長さの半分に形成されており、枠材８１の外側に形成される。なお、第８−１の階段部ｏ（第１段目の階段ｏ１及び第２段目の階段ｏ２）が形成されている箇所の枠材８１の内側半分には、第８−１の階段部ｏ（段部８５）と同形状からなる切り欠き部８３が形成されている。また、第８−２の階段部ｐ（第１段目の階段ｐ１及び第２段目の階段ｐ２）も、第８−１の階段部ｏと同様に、横幅が枠材８２の横幅の長さの半分に形成されており、枠材８２の内側に形成される。なお、第８−２の階段部ｐ（第１段目の階段ｐ１及び第２段目の階段ｐ２）が形成されている箇所の枠材８２の外側半分には、第８−２の階段部ｐ（段部８６）と同形状からなる切り欠き部８４が形成されている。
【０１３４】
第８の枠体８０の全体の長手方向の長さは概ね７ｃｍに形成され、枠材８１、枠材８２及び他の枠材の横幅の長さは概ね１ｃｍ、厚みは概ね０．５ｃｍに形成される。また、第８−１の階段部ｏ及び第８−２の階段部ｐの高さ（第１段目の階段ｏ１の高さ、段部８５の厚み及び段部８５の下側に重ねられる枠材８１の厚みを合わせたもの並びに第１段目の階段ｐ１の高さ、段部８６の厚み及び段部８６の下側に重ねられる枠材８２の厚みを合わせたもの）は概ね１．５ｃｍ（第１段目の階段ｏ１、第２段目の階段ｏ２、第１段目の階段ｐ１及び第２段目の階段ｐ２の高さは概ね０．５ｃｍとなる）、横幅は概ね０．５ｃｍに形成され、枠材８１及び枠材８２の上段及び下段に位置するもの（枠材）の長手方向の長さは概ね２．５ｃｍに形成される。なお、第８の枠体８０（枠材８１、枠材８２及び他の枠材並びに第８−１の階段部ｏ及び第８−２の階段部ｐ）は、例えば、木材、プラスチック等にて形成することができる。
【０１３５】
［第１の枠体９０及び第２の枠体９５］
図２７に示すように、第１の枠体９０の第１−１の階段部ｑは、それが形成されている枠材９１の外側半分に形成される。第１の枠体９０の第１−２の階段部ｒは、それが形成されている枠材９２の内側半分に形成される。なお、切り欠き部９３については、第１−１の階段部ｑが形成されている箇所の枠材９１の内側半分に形成され、切り欠き部９４については、第１−２の階段部ｒが形成されている箇所の枠材９２の外側半分に形成される。
【０１３６】
また、第２の枠体９５の第２−１の階段部ｓは、それが形成されている枠材９６の外側半分に形成される。第２の枠体９５の第２−２の階段部ｔは、それが形成されている枠材９７の内側半分に形成される。なお、切り欠き部９８については、第２−１の階段部ｓが形成されている箇所の枠材９６の内側半分に形成され、切り欠き部９９については、第２−２の階段部ｔが形成されている箇所の枠材９７の外側半分に形成される。
【０１３７】
［第１の枠体９０、第２の枠体９５及び第６の枠体６０から第８の枠体８０の関係性］
第１の枠体９０、第２の枠体９５及び第６の枠体６０から第８の枠体８０の具体的な形態は上記のとおりであるところ、第１−１の階段部ｑから第２−２の階段部ｔ及び第６−１の階段部ｋから第８−２の階段部ｐの高さ比（ｘ１：ｙ１：ｚ１）及び長手方向の長さ比（ｘ２：ｙ２：ｚ２）は次のとおりである（図２２、図２５及び図２８参照）。
［階段部の高さ比］
第１−１の階段部ｑから第２−２の階段部ｔの高さ  ＝  ｘ１
第６−１の階段部ｋから第７−２の階段部ｎの高さ  ＝  ｙ１
第８−１の階段部ｏ及び第８−２の階段部ｐの高さ  ＝  ｚ１
ｘ１：ｙ１：ｚ１  ＝  ２：３：３
［階段部の長手方向の長さ比］
第１−１の階段部ｑから第２−２の階段部ｔの長手方向の長さ  ＝  ｘ２
第６−１の階段部ｋから第７−２の階段部ｎの長手方向の長さ  ＝  ｙ２
第８−１の階段部ｏ及び第８−２の階段部ｐの長手方向の長さ  ＝  ｚ２
ｘ２：ｙ２：ｚ２  ＝１：２：４
【０１３８】
図２９に示すように、第１の枠体９０、第２の枠体９５及び第６の枠体６０から第８の枠体８０は、第１の枠体９０、第６の枠体６０、第８の枠体８０、第７の枠体７０及び第２の枠体９５の順に鎖状に連結することで、全体として連結する格好となっている。
【０１３９】
最後に、図３０を用いて、本発明の実施例３に係る枠体の連結構造体３００の使用方法（組み合わせ方法）について説明する。
【０１４０】
図３０は本発明の実施例３に係る枠体の連結構造体の第１及び第２並びに第６から第８の枠体を組み合わせた状態を表す右側面図である（各枠体及び各階段部を簡略化して（線図で）表している）。
【０１４１】
図３０に示すように、第１の枠体９０、第２の枠体９５及び第６の枠体６０から第８の枠体８０は、「第１−１の階段部ｑ、第２−１の階段部ｓ、第６−２の階段部ｌ、第７−２の階段部ｎ及び第８−１の階段部ｏ」を組み合わせるとともに、「第１−２の階段部ｒ、第２−２の階段部ｔ、第６−１の階段部ｋ、第７−１の階段部ｍ及び第８−２の階段部ｐ」を組み合わせることで、上下に重ねるように組み合わせることができる。
【０１４２】
具体的には、まず、
第６−２の階段部ｌを第１−１の階段部ｑ及び第８−１の階段部ｏの第１段目の階段ｏ１と、
第７−２の階段部ｎを第８−１の階段部ｏの第２段目の階段ｏ２及び第２−１の階段部ｓと
組み合わせる。
すなわち、
第１−１の階段部ｑ及び第８−１の階段部ｏの第１段目の階段ｏ１を上下に重ねた状態（第８−１の階段部ｏの第１段目の階段ｏ１及び段部８５に沿うように、これらの上に、階段状に１段落としてなる第１−１の階段部ｑの底面側を重ねた状態）で、切り欠き部６４に、第１−１の階段部ｑ及び第８−１の階段部ｏの第１段目の階段ｏ１を、
第２−１の階段部ｓ及び第８−１の階段部ｏの第２段目の階段ｏ２を上下に重ねた状態（枠材９６の一部及び第２−１の階段部ｓに沿うように、これらの上に、段部８５の底面側を重ねた状態）で、切り欠き部７４に、第２−１の階段部ｓ及び第８−１の階段部ｏの第２段目の階段ｏ２を
嵌め込むようにする。
【０１４３】
そして、これと同時に、
第６−１の階段部ｋを第１−２の階段部ｒ及び第８−２の階段部ｐの第１段目の階段ｐ１と、
第７−１の階段部ｍを第８−２の階段部ｐの第２段目の階段ｐ２及び第２−２の階段部ｔと
組み合わせる。
すなわち、
第１−２の階段部ｒ及び第８−２の階段部ｐの第１段目の階段ｐ１を上下に重ねた状態（第８−２の階段部ｐの第１段目の階段ｐ１及び段部８６に沿うように、これらの上に、階段状に１段落としてなる第１−２の階段部ｔの底面側を重ねた状態）で、切り欠き部６３に、第１−２の階段部ｒ及び第８−２の階段部ｐの第１段目の階段ｐ１を、
第２−２の階段部ｔ及び第８−２の階段部ｐの第２段目の階段ｐ２を上下に重ねた状態（枠材９７の一部及び第２−２の階段部ｔに沿うように、これらの上に、段部８６の底面側を重ねた状態）で、切り欠き部７３に、第２−２の階段部ｔ及び第８−２の階段部ｐの第２段目の階段ｐ２を
嵌め込むようにする。
このようにすることで、第１の枠体９０、第２の枠体９５及び第６の枠体６０から第８の枠体８０を上下に重ねるように組み合わせることができる。
【０１４４】
このとき、枠材９１、枠材９２、枠材９６、枠材９７、枠材６１、枠材６２、枠材７１、枠材７２、枠材８１及び枠材８２の横幅の長さは同一の長さで形成されており、第１−１の階段部ｑから第２−２の階段部ｔ及び第６−１の階段部ｋから第８−２の階段部ｐの横幅の長さは、これら階段部（ｑからｔ及びｋからｐ）が、それぞれ形成されている枠材（９１、９２、９６、９７及び６１から８２）の横幅の長さの半分に形成されていることから、枠材９１、枠材９６、枠材６２、枠材７２及び枠材８１並びに枠材９２、枠材９７、枠材６１、枠材７１及び枠材８２は、綺麗に重なる格好となる（図示略）。
【０１４５】
また、上記のとおり、
第１−１の階段部ｑから第２−２の階段部ｔの高さ  ＝  ｘ１
第６−１の階段部ｋから第７−２の階段部ｎの高さ  ＝  ｙ１
第８−１の階段部ｏ及び第８−２の階段部ｐの高さ  ＝  ｚ１
の比は、「ｘ１：ｙ１：ｚ１  ＝  ２：３：３」であり、
第１−１の階段部ｑから第２−２の階段部ｔの長手方向の長さ  ＝  ｘ２
第６−１の階段部ｋから第７−２の階段部ｎの長手方向の長さ  ＝  ｙ２
第８−１の階段部ｏ及び第８−２の階段部ｐの長手方向の長さ  ＝  ｚ２
の比は、「ｘ２：ｙ２：ｚ２  ＝１：２：４」となっていることから、
第１の枠体９０、第２の枠体９５及び第６の枠体６０から第８の枠体８０を上下に重ねた厚みは、
第１−１の階段部ｑ、第２−１の階段部ｓ、第６−２の階段部ｌ、第７−２の階段部ｎ及び第８−１の階段部ｏを組み合わせたときの全体の高さ並びに
第１−２の階段部ｒ、第２−２の階段部ｔ、第６−１の階段部ｋ、第７−１の階段部ｍ及び第８−２の階段部ｐを組み合わせたときの全体の高さ
と同一となる。
【０１４６】
すなわち、
枠材９１の上段に位置するもの（枠材）と枠材６２の上段に位置するもの（枠材）が、
枠材９１の下段に位置するもの（枠材）と枠材８１の上段に位置するもの（枠材）が、
枠材６２の下段に位置するもの（枠材）と段部８５と枠材７２の上段に位置するもの（枠材）が、
枠材８１の下段に位置するもの（枠材）と枠材９６の上段に位置するもの（枠材）が、
枠材７２の下段に位置するもの（枠材）と枠材９６の下段に位置するもの（枠材）が、
それぞれ同一平面上に揃う格好になるとともに、
枠材９２の上段に位置するもの（枠材）と枠材６１の上段に位置するもの（枠材）が、
枠材９２の下段に位置するもの（枠材）と枠材８２の上段に位置するもの（枠材）が、
枠材６１の下段に位置するもの（枠材）と段部８６と枠材７１の上段に位置するもの（枠材）が、
枠材８２の下段に位置するもの（枠材）と枠材９７の上段に位置するもの（枠材）が、
枠材７１の下段に位置するもの（枠材）と枠材９７の下段に位置するもの（枠材）が、
それぞれ同一平面上に揃う格好になるのである（図３０参照）。
【０１４７】
このように、本実施例に係る枠体の連結構造体３００では、正しい組み合わせの階段部同士（「第１−１の階段部ｑ、第２−１の階段部ｓ、第６−２の階段部ｌ、第７−２の階段部ｎ及び第８−１の階段部ｏ」の組み合わせと「第１−２の階段部ｒ、第２−２の階段部ｔ、第６−１の階段部ｋ、第７−１の階段部ｍ及び第８−２の階段部ｐ」の組み合わせ）を同一列に揃えつつ、これら相互に組み合わせることで、各枠体（９０、９５、６０、７０及び８０）を上下に重ねるように組み合わせることができる。
【０１４８】
以上より、本発明における第１の枠体９０、第２の枠体９５及び第６の枠体６０から第８の枠体８０（各階段部ｑからｔ及びｋからｐを含む）は、その基本構造が共通するものであり（全ての枠体は、全体が平面視において、矩形状にて形成されており、各枠材には、階段状からなる階段部が形成されているため）、使用者は、これらの枠体９０、９５、６０、７０及び８０を組み合わせる際に（パズルとしての本発明を解く際）、これらの基本構造の違いに着目することが難しいことから、パズルを解くためのヒントを容易に得ることができない（すなわち、枠体９０、９５、６０、７０及び８０は、階段部の段数やこれら枠体のそれぞれに形成される階段部（ｑからｔ及びｋからｐ）の高さ比及び長手方向の長さ比において異なる点があるものの（１段、２段で異なる等）、それ以外の構造は全て共通するものであることから、これらの枠体９０、９５、６０、７０及び８０が連結された状態では、使用者は、これらの基本構造の違いに着目することが困難なのである）。
【０１４９】
よって、本発明を用いれば、使用者は、容易にパズル（パズルとしての枠体の連結構造体３００）の解を導き出すことができないことから、本発明では、難易度の高いパズルを提供することができる。また、本発明は、各階段部（ｑからｔ及びｋからｐ）の基本構造及び各枠体（９０、９５、６０、７０及び８０）の基本構造が、それぞれ、共通するものであることから、製造に手間とコストを要することなく、これを製造することができる。したがって、本発明では、製造容易な枠体の連結構造体を提供することができる。
【０１５０】
なお、本実施例に係る枠体の連結構造体３００の寸法、形状、各階段部（ｑからｔ及びｋからｐ）の位置、各階段部（ｑからｔ及びｋからｐ）の相互の位置関係及び各枠体（９０、９５、６０、７０及び８０）に施される模様を、実施例１に係る枠体の連結構造体１００と同様に変形することができることは勿論である（図３２乃至図３４に、本実施例に係る枠体の連結構造体３００の実際の例を示す（各枠体９０、９５、６０、７０及び８０を円形状に形成したもの））。
【０１５１】
このように、本実施例では、本発明の趣旨を逸脱しない範囲で種々の変更が可能であることはいうまでもない。
【符号の説明】
【０１５２】
１０    第１の枠体
１１    枠材
１２    枠材
１３    切り欠き部
１４    切り欠き部
２０    第２の枠体
２１    枠材
２２    枠材
２３    切り欠き部
２４    切り欠き部
３０    第３の枠体
３１    枠材
３２    枠材
３３    切り欠き部
３４    切り欠き部
４０    第４の枠体
４１    枠材
４２    枠材
４３    切り欠き部
４４    切り欠き部
５０    第５の枠体
５１    枠材
５２    枠材
５３    切り欠き部
５４    切り欠き部
６０    第６の枠体
６１    枠材
６２    枠材
６３    切り欠き部
６４    切り欠き部
７０    第７の枠体
７１    枠材
７２    枠材
７３    切り欠き部
７４    切り欠き部
８０    第８の枠体
８１    枠材
８２    枠材
８３    切り欠き部
８４    切り欠き部
８５    段部
８６    段部
９０    第１の枠体
９１    枠材
９２    枠材
９３    切り欠き部
９４    切り欠き部
９５    第２の枠体
９６    枠材
９７    枠材
９８    切り欠き部
９９    切り欠き部
１００  枠体の連結構造体
２００  枠体の連結構造体
３００  枠体の連結構造体
ａ      第１−１の階段部
ｂ      第１−２の階段部
ｃ      第２−１の階段部
ｄ      第２−２の階段部
ｅ      第３−１の階段部
ｆ      第３−２の階段部
ｇ      第４−１の階段部
ｈ      第４−２の階段部
ｉ      第５−１の階段部
ｊ      第５−２の階段部
ｋ      第６−１の階段部
ｌ      第６−２の階段部
ｍ      第７−１の階段部
ｎ      第７−２の階段部
ｏ      第８−１の階段部
ｐ      第８−２の階段部
ｑ      第１−１の階段部
ｒ      第１−２の階段部
ｓ      第２−１の階段部
ｔ      第２−２の階段部
【要約】
【課題】基本構造が共通する複数の枠体を連結させることで、パズルの解を容易に導き出すことができないような枠体の連結構造体を提供する。
【解決手段】階段状に１段落としてなる第１−１及び第１−２の階段部（ａ、ｂ）が、それぞれ枠材（１１、２１）に形成されている第１の枠体１０と、階段状に１段落としてなる第２−１及び第２−２の階段部（ｃ、ｄ）が、それぞれ枠材（２１、２２）に形成されている第２の枠体２０とを備え、第１−１の階段部ａの横幅と第２−２の階段部ｄの横幅を合わせた長さ及び第１−２の階段部ｂの横幅と第２−１の階段部ｃの横幅を合わせた長さが、第１−１から第２−２の階段部（ａからｄ）のそれぞれが形成されている枠材（１１、１２、２１、２２）の横幅の長さと同一であり、第１−１から第２−２の階段部（ａからｄ）の高さが同一であって、第１及び第２の枠体（１０、２０）が、全体として連結していることを特徴とする。
【選択図】図７【図１】
0005997811.tif 000002
【図２】
0005997811.tif 000003
【図３】
0005997811.tif 000004
【図４】
0005997811.tif 000005
【図５】
0005997811.tif 000006
【図６】
0005997811.tif 000007
【図７】
0005997811.tif 000008
【図８】
0005997811.tif 000009
【図９】
0005997811.tif 000010
【図１０】
0005997811.tif 000011
【図１１】
0005997811.tif 000012
【図１２】
0005997811.tif 000013
【図１３】
0005997811.tif 000014
【図１４】
0005997811.tif 000015
【図１５】
0005997811.tif 000016
【図１６】
0005997811.tif 000017
【図１７】
0005997811.tif 000018
【図１８】
0005997811.tif 000019
【図１９】
0005997811.tif 000020
【図２０】
0005997811.tif 000021
【図２１】
0005997811.tif 000022
【図２２】
0005997811.tif 000023
【図２３】
0005997811.tif 000024
【図２４】
0005997811.tif 000025
【図２５】
0005997811.tif 000026
【図２６】
0005997811.tif 000027
【図２７】
0005997811.tif 000028
【図２８】
0005997811.tif 000029
【図２９】
0005997811.tif 000030
【図３０】
0005997811.tif 000031
【図３１】
0005997811.tif 000032
【図３２】
0005997811.tif 000033
【図３３】
0005997811.tif 000034
【図３４】
0005997811.tif 000035